(57)【特許請求の範囲】
【請求項１】
ウェアラブルデバイスであって、
ハウジングと、
前記ハウジングを身体外表面に取り付けるように構成されるマウントと、
前記ハウジングから突出している第１および第２の電気接点であって、前記ハウジングが前記身体外表面上に取り付けられるとき、前記身体外表面の皮膚に接触するように構成される、第１および第２の電気接点と、
前記ウェアラブルデバイス内に配置される電子部品と
を含み、
前記電子部品が、
特定の静電容量を有する、キャパシタと、
前記キャパシタに直列の電子スイッチであって、前記キャパシタと前記電子スイッチの直列の組み合わせが前記第１の電気接点および前記第２の電気接点に電子的に結合される、電子スイッチと、
前記ウェアラブルデバイスが前記身体外表面に取り付けられ前記電子スイッチが閉じられているとき、前記第１の電気接点と前記第２の電気接点との間の皮膚の抵抗に関する測定値を得るように構成される、抵抗センサと、
前記ウェアラブルデバイスが前記身体外表面に取り付けられ前記電子スイッチが開けられているとき、前記第１の電気接点と前記第２の電気接点との間の皮膚の静電容量に関する測定値を得るように構成される、静電容量センサとを含む、
ウェアラブルデバイス。
【請求項２】
前記身体外表面が、手首の場所である、請求項１に記載のウェアラブルデバイス。
【請求項３】
前記抵抗センサが、
前記第２の電気接点に対して特定の電圧を供給するように構成される電圧源と、
前記電圧源に結合される電圧源スイッチと、
前記電圧源スイッチと前記第１の電気接点との間に接続される抵抗器であって、特定の抵抗を有する、抵抗器と、
前記抵抗器に結合される電圧センサであって、前記抵抗器を介して前記第１の電気接点と前記第２の電気接点との間の電圧を感知するように構成され、前記電圧が、少なくとも、前記特定の電圧、前記特定の抵抗、および前記第１の電気接点と前記第２の電気接点との間の皮膚の前記抵抗に関連付けられる、電圧センサと
を含む、請求項１に記載のウェアラブルデバイス。
【請求項４】
前記ハウジングが前記身体外表面に取り付けられているとき、前記電圧センサによって感知される電圧が、前記電圧源スイッチが開けられ前記電子スイッチが閉じられると、減衰プロファイルに従って時間と共に減少し、前記減衰プロファイルが、前記第１の電気接点と前記第２の電気接点との間の皮膚の前記抵抗および前記特定の静電容量に関連付けられる、請求項３に記載のウェアラブルデバイス。
【請求項５】
前記電圧センサが、アナログ−デジタル変換器を含む、請求項４に記載のウェアラブルデバイス。
【請求項６】
前記第１の電気接点と前記第２の電気接点との間の皮膚の前記抵抗のユーザ認識可能インジケーションを提供するように構成されるユーザインターフェースをさらに含む、請求項１に記載のウェアラブルデバイス。
【請求項７】
前記第１の電気接点と前記第２の電気接点との間の皮膚の前記抵抗を示すデータを伝送するように構成される無線通信インターフェースをさらに含む、請求項１に記載のウェアラブルデバイス。
【請求項８】
前記静電容量センサが、緩和発振器を含み、前記緩和発振器の動作周波数が、前記第１の電気接点と前記第２の電気接点との間の皮膚の前記静電容量に関連付けられる、請求項１に記載の身体取付可能デバイス。
【請求項９】
前記第１の電気接点および前記第２の電気接点が、１〜５ミリメートルの特有の寸法を有する、請求項１に記載のウェアラブルデバイス。
【請求項１０】
前記第１の電気接点および前記第２の電気接点が、１〜５０ミリメートルの距離を置いて配置される、請求項１に記載のウェアラブルデバイス。
【請求項１１】
前記第１の電気接点および前記第２の電気接点が、ばね荷重をかけられる、請求項１に記載のウェアラブルデバイス。
【請求項１２】
前記ハウジングが、防水性となるように構成され、前記第１の電気接点および前記第２の電気接点が、前記ハウジングが防水性となるように前記ハウジングから突出するように構成される、請求項１に記載のウェアラブルデバイス。
【請求項１３】
温度センサであって、前記ウェアラブルデバイスが前記身体外表面に取り付けられているときに前記身体外表面の皮膚の温度に関連する測定値を得るように動作され得るように、前記第１の電気接点および前記第２の電気接点のうちの少なくとも一方に熱的に結合される温度センサ
をさらに含む、請求項１に記載のウェアラブルデバイス。
【請求項１４】
方法であって、
（i）ハウジングと、（ii）前記ハウジングを身体外表面に取り付けるように構成されるマウントと、（iii）前記ハウジングから突出している第１および第２の電気接点と、（iv）特定の静電容量を有するキャパシタと、（v）前記キャパシタに直列の電子スイッチであって、前記キャパシタと前記電子スイッチの直列の組み合わせが前記第１の電気接点および前記第２の電気接点に電子的に結合される、電子スイッチと、（vi）前記電子スイッチが閉じられているとき、前記第１の電気接点と前記第２の電気接点との間の皮膚の抵抗に関する測定値を得るように構成される、抵抗センサと、（vii）前記電子スイッチが開けられているとき、前記第１の電気接点と前記第２の電気接点との間の静電容量に関する測定値を得るように構成される、静電容量センサとを含むウェアラブルデバイスを身体外表面に取り付けることであって、前記第１および第２の電気接点が前記身体外表面の皮膚に接触するように前記マウントを用いて前記身体外表面に前記ハウジングを取り付けることを含む、前記ウェアラブルデバイスを前記身体外表面に取り付けることと、
第１の時間の間、前記電子スイッチが閉じられるように前記電子スイッチを動作させることと、
前記第１の時間の間、前記抵抗センサを用いて前記キャパシタを充電することと、
第２の時間の間、前記電子スイッチが閉じられるように前記電子スイッチを動作させることと、
前記第２の時間の間、前記抵抗センサを用いて測定値を得ることと、
前記第２の時間の間、前記抵抗センサを用いて得られる測定値に基づいて前記第１の電気接点と前記第２の電気接点との間の皮膚の抵抗を決定することと、
第３の時間の間、前記電子スイッチが開けられるように前記電子スイッチを動作させることと、
前記第３の時間の間、前記静電容量センサを用いて測定値を得ることと、
前記第３の時間の間、前記静電容量センサを用いて得られる前測定値に基づいて前記第１の電気接点と前記第２の電気接点との間の静電容量を決定することと
を含む、方法。
【請求項１５】
前記抵抗センサが、前記第１の電気接点と前記第２の電気接点との間の電圧に関連する電圧を測定するように構成される電圧センサを含み、前記抵抗センサを用いて前記キャパシタを充電することが、前記電圧センサによって測定される前記電圧が、特定の充電電圧に実質的に等しくなるまで、前記電子スイッチと前記キャパシタの直列の組み合わせに電圧を印加することを含む、請求項１４に記載の方法。
【請求項１６】
前記抵抗センサが、前記第１の電気接点と前記第２の電気接点との間の電圧に関連する電圧を測定するように構成される電圧センサを含み、前記抵抗センサを用いて測定値を得ることが、前記電圧センサによって感知される電圧の減衰プロファイルの特性を検出するように前記電圧センサを動作させることを含む、請求項１４に記載の方法。
【請求項１７】
前記ウェアラブルデバイスに配置されるディスプレイを用いて、前記決定された抵抗を示すことをさらに含む、請求項１４に記載の方法。
【請求項１８】
前記決定された抵抗に基づいて前記ウェアラブルデバイスを動作させることをさらに含む、請求項１４に記載の方法。
【請求項１９】
前記第１の電気接点と前記第２の電気接点との間の決定された静電容量に基づいて、前記ウェアラブルデバイスが前記身体外表面に取り付けられているかどうかを判定することをさらに含む、請求項１４に記載の方法。
【請求項２０】
前記静電容量センサが、緩和発振器を含み、前記緩和発振器が、その動作周波数が前記第１の電気接点と前記第２の電気接点との間の前記静電容量に関連付けられるように前記第１の電気接点および前記第２の電気接点に電子的に結合され、前記静電容量センサを用いて測定値を得ることが、前記緩和発振器の前記動作周波数の測定値を得ることを含む、請求項１４に記載の方法。
【発明の詳細な説明】
【背景技術】
【０００１】
[0001]  本明細書に別段示されない限り、この節に記載される資料は、本特許出願の特許請求の範囲に対する先行技術ではなく、この節への包含によって先行技術になると認められるものではない。
【０００２】
[0002]  電気皮膚反応（Galvanic skin response）は、皮膚の水分レベルの変化による皮膚の伝導度および／または電位の変化である。この水分レベルの変化は、皮膚の汗腺が活発になる、または不活発になることによって引き起こされ得る。電気皮膚反応は、電気皮膚抵抗（GSR、および／または関連の電気皮膚コンダクタンス）である、２つ以上のポイント間の皮膚の伝導度の測定、ならびに、電気皮膚電位（GSP）である、皮膚上の２つ以上のポイント間の電圧差の測定を含む。
【発明の概要】
【０００３】
概要
[0003]  本開示のいくつかの実施形態は、ウェアラブルデバイスであって、（i）ハウジングと、（ii）ハウジングを身体外表面に取り付けるように構成されるマウントと、（iii）ハウジングから突出している第１および第２の電気接点であって、ハウジングが身体外表面上に取り付けられるとき、身体外表面の皮膚に接触するように構成される、第１および第２の電気接点と、（iv）ウェアラブルデバイス内に配置される電子部品とを含み、電子部品が、（a）特定の静電容量を有する、キャパシタと、（b）キャパシタに直列の電子スイッチであって、キャパシタと電子スイッチの直列の組み合わせが第１および第２の電気接点に電子的に結合される、電子スイッチと、（c）ウェアラブルデバイスが身体外表面に取り付けられ電子スイッチが閉じられているとき、第１の電気接点と第２の電気接点との間の皮膚の抵抗に関する測定値を得るように構成される、抵抗センサと、（d）ウェアラブルデバイスが身体外表面に取り付けられ電子スイッチが開けられているとき、第１の電気接点と第２の電気接点との間の皮膚の静電容量に関する測定値を得るように構成される、静電容量センサとを含む、ウェアラブルデバイスを提供する。
【０００４】
[0004]  本開示のいくつかの実施形態は、方法であって、（i）（a）ハウジングと、（b）ハウジングを身体外表面に取り付けるように構成されるマウントと、（c）ハウジングから突出している第１および第２の電気接点と、（d）特定の静電容量を有するキャパシタと、（e)キャパシタに直列の電子スイッチであって、キャパシタと電子スイッチの直列の組み合わせが第１および第２の電気接点に電子的に結合される、電子スイッチと、（f）電子スイッチが閉じられているとき、第１の電気接点と第２の電気接点との間の皮膚の抵抗に関する測定値を得るように構成される、抵抗センサと、（g）電子スイッチが開けられているとき、第１の電気接点と第２の電気接点との間の静電容量に関する測定値を得るように構成される、静電容量センサとを含むウェアラブルデバイスを身体外表面に取り付けることであって、第１および第２の電気接点が身体外表面の皮膚に接触するようにマウントを用いて身体外表面にハウジングを取り付けることを含む、ウェアラブルデバイスを身体外表面に取り付けることと、（ii）第１の時間の間、電子スイッチが閉じられるように電子スイッチを動作させることと、（iii）第１の時間の間、抵抗センサを用いてキャパシタを充電することと、（iv）第２の時間の間、電子スイッチが閉じられるように電子スイッチを動作させることと、（v）第２の時間の間、抵抗センサを用いて測定値を得ることと、（vi）第２の時間の間、抵抗センサを用いて得られる測定値に基づいて第１の電気接点と第２の電気接点との間の皮膚の抵抗を決定することと、（vii）第３の時間の間、電子スイッチが開けられるように電子スイッチを動作させることと、（viii）第３の時間の間、静電容量センサを用いて測定値を得ることと、（ix）第３の時間の間、静電容量センサを用いて得られる測定値に基づいて第１の電気接点と第２の電気接点との間の静電容量を決定することとを含む方法を提案する。
【０００５】
[0005]  これらおよびその他の態様、利点および代替実施形態は、必要ならば添付の図面を参照して、以下の詳細な説明を読めば当業者には明らかになるであろう。
【図面の簡単な説明】
【０００６】
【図１】[0006]例示的なウェアラブルデバイスの斜視図である。
【図２Ａ】[0007]着用者の手首に取り付けられている、例示的な手首取付可能デバイスの上面斜視図であるである。
【図２Ｂ】[0008]着用者の手首に取り付けられている、図２Ａに示される例示的な手首取付可能デバイスの底面斜視図である。
【図３Ａ】[0009]着用者の手首に取り付けられている、例示的な手首取付可能デバイスの底面斜視図である。
【図３Ｂ】[0010]着用者の手首に取り付けられている、図３Ａに示される例示的な手首取付可能デバイスの上面斜視図である。
【図３Ｃ】[0011]図３Ａおよび図３Ｂに示される例示的な手首取付可能デバイスの斜視図である。
【図４Ａ】[0012]例示的な手首取付可能デバイスの斜視図である。
【図４Ｂ】[0013]図４Ａに示される例示的な手首取付可能デバイスの底面斜視図である。
【図５】[0014]例示的な手首取付可能デバイスの斜視図である。
【図６】[0015]例示的な手首取付可能デバイスの斜視図である。
【図７】[0016]サーバと通信する複数のウェアラブルデバイスを含む、例示的なシステムのブロック図である。
【図８】[0017]例示的なウェアラブルデバイスの機能ブロック図である。
【図９】[0018]例示的なウェアラブルデバイス内に配置される構成要素の機能ブロック図である。
【図１０】[0019]例示的な方法のフロー図である。
【発明を実施するための形態】
【０００７】
詳細な説明
[0020]  以下の詳細な説明では、本明細書の一部をなす添付の図面を参照する。図面において、同様の符号は、通常、文脈により別段明確に示されない限り、同様の構成要素を示す。詳細な説明、図面および特許請求の範囲に記載される例示的な実施形態は、限定を意味するものではない。他の実施形態も用いることができ、本明細書に記載の主題の範囲から逸脱することなく、他の変更を加えることもできる。本明細書に全体的に記載され、図面に示されている本開示の態様は、広範な異なる構成において、配置され、代用され、組み合わされ、分けられ、設計されてよく、それらのすべてが本明細書において明示的に企図されることが容易に理解されよう。
【０００８】
Ｉ．概要
[0021]  ウェアラブルデバイスは、着用者の１つまたは複数の生理的パラメータを測定するように構成され得る。１つまたは複数の生理的パラメータは、発汗、したがって着用者の活動レベル、交感神経系の活動、および／または情動の状態／影響に関連付けられ得る皮膚の抵抗を含むことができる。皮膚の抵抗を測定するために、ウェアラブルデバイスは、着用者の手首、前腕、上腕、脚、大腿部などの場所で着用者の皮膚に接触するようにデバイスのハウジングから突出する２つの電気接点を含むことができる。電気接点が着用者の皮膚に接している状態で、デバイス内の電子部品を用いて、第１の電気接点と第２の電気接点との間の外部抵抗が測定され得る。この外部抵抗は、着用者の皮膚の抵抗に関連付けられる。電気接点は、さらに、第１の電気接点と第２の電気接点との間の静電容量を検出するのにも用いられ得る。検出された第１の電気接点と第２の電気接点との間の静電容量は、着用者の１つまたは複数の生理的および／または健康の状態に関連付けられ得る。それに加えて、または別法として、検出された第１の電気接点と第２の電気接点との間の静電容量は、ウェアラブルデバイスが着用者の皮膚に取り付けられているかどうかを判定することにも使用される。ウェアラブルデバイスは、そうした決定に基づいて動作するように、例えば、ウェアラブルデバイスが着用者の皮膚に取り付けられていないときには低電力モードに入るように構成され得る。
【０００９】
[0022]  いくつかの例では、ウェアラブルデバイスは、ハウジング（例えば、耐水性および／または防水性のハウジング）と、ハウジングを手首などの身体の特定の外表面に取り付けることができるマウント（例えば、バンド）とを含む。第１および第２の電気接点は、ハウジングが身体のある位置に取り付けられるときに皮膚に接触するように、その身体の位置の皮膚に向かい合うハウジングの側から突出していてよい。ハウジング内に配置される電子部品は、第１および第２の電気接点を介して身体外表面の皮膚の抵抗に関する測定値を得るように構成される抵抗センサを含むことができる。電子部品は、さらに、電子スイッチに直列に電子的に組み合わせられる、特定の静電容量を有するキャパシタを含むことができる。キャパシタと電子スイッチの直列の組み合わせは、第１の時間の間、電子部品の抵抗センサまたは他の素子が電子スイッチを閉じキャパシタを充電するように動作することができるように、第１および第２の電気接点に電子的に結合される。電子部品の抵抗センサまたは他の素子は、その後、第２の時間の間、電子スイッチを閉じた状態を維持し、第１および第２の電気接点の両端電圧の時間特性（例えば、電圧低下速度、電圧低下時間）を検出することができる。身体外表面の皮膚の抵抗は、検出された時間特性に基づいて決定することができる。ハウジング内に配置される電子部品は、さらに、電子スイッチが開いているとき、（例えば、第１の電気接点と第２の電気接点との間の等価静電容量を充電しその後で放電するように緩和発振器が動作されることによって）第１の電気接点と第２の電気接点との間の静電容量を検出するように構成される静電容量センサを含むことができる。
【００１０】
[0023]  いくつかの例では、抵抗センサは、（第２の電気接点に対して）特定の電圧を供給するように構成される電圧源と、電圧源に結合される電圧源スイッチと、電圧源スイッチと第１の電気接点との間に接続される（基準抵抗を有する）抵抗器とを含む。このように、電圧源は、電圧源スイッチと電子スイッチが閉じられているとき、（特定の電圧レベルまで）キャパシタを充電するように動作することができる。その後、電圧源スイッチが開けられてよく、それによってキャパシタが第１および第２の電気接点を介して放電される。キャパシタが放電されるときの第１の電気接点と第２の電気接点との間の電圧の時間特性（例えば、電圧低下速度、電圧低下時間）は、キャパシタの特定の静電容量および身体外表面の皮膚の抵抗に関連付けられ得る。抵抗センサは、さらに、第１の電気接点と第２の電気接点との間の電圧を（例えば、第１の電気接点に電気的に結合されることによって）直接的に、または（例えば、抵抗器を介して第１の電気接点に電気的に結合されることによって）間接的に感知するように構成される電圧センサを含むことができる。いくつかの例では、電圧センサは、電圧センサによって検出される電圧を表すデジタルアウトプットをもたらすアナログ−デジタル変換器を含む。
【００１１】
[0024]  ハウジング内の電子部品は、さらに、静電容量センサを含むことができる。静電容量センサは、電子スイッチが開いているときに第１の電気接点と第２の電気接点との間の静電容量のレベルの検出を可能にする様々なやり方で構成され得る。いくつかの例では、静電容量センサは、特定の充電および放電電流を用いて第１の特定電圧と第２の特定電圧との間で第１の電気接点と第２の電気接点との間の等価静電容量を繰り返し充放電するように構成される緩和発振器を含むことができる。そうした静電容量センサは、緩和発振器の動作周波数を測定することができ、決定された動作周波数は、第１の電気接点と第２の電気接点との間の静電容量の値を決定することに使用され得る。静電容量ブリッジ（すなわち、静電容量ブリッジの脚のうちの１つが、第１の電気接点と第２の電気接点との間の等価静電容量である）、および静電容量分圧器（すなわち、特定の感知静電容量を有する感知キャパシタが第１の電気接点と第２の電気接点との間の等価静電容量と直列に電気的に結合され得る）を含む、静電容量センサの他の構成も予想される。いくつかの例では、静電容量センサは、阻止キャパシタを介して第１の電気接点に電気的に結合される。その場合、阻止キャパシタは、第１の電気接点と第２の電気接点との間の静電容量の予想される値よりもはるかに大きな（例えば、身体外表面の皮膚の予想される皮膚静電容量よりもはるかに大きな）特定の阻止静電容量を有する。
【００１２】
[0025]  いくつかの例では、静電容量センサを用いて決定された静電容量値は、ウェアラブルデバイスが着用者の身体外表面の皮膚に取り付けられているかどうかを判定することに使用され得る。例えば、決定された静電容量値がある値を下回る場合、または急激な低下を示している場合（例えば、前回の時間の間に決定された静電容量値よりも大幅に小さい場合）、またはその他の状態を満たす場合、ウェアラブルデバイスが着用者の皮膚に取り付けられていないと判定され得る。さらに、ウェアラブルデバイスは、そうした決定に基づいて動作することができ、例えば、ウェアラブルデバイスが着用者の皮膚に取り付けられていないという決定がなされると、ウェアラブルデバイスは、低電力モードおよび／またはスリープモードに入る（例えば、ウェアラブルデバイスの抵抗器または他のセンサ、ウェアラブルデバイスのユーザインターフェース、またはウェアラブルデバイスの他の素子の動作が停止されるおよび／または低電力モードにされ得る）。
【００１３】
[0026]  いくつかの例では、ウェアラブルデバイスは、デバイスによって測定および／または決定される、例えば、第１および第２の電気接点を用いて測定されるような皮膚の抵抗または皮膚の静電容量などの、１つまたは複数の生理的パラメータのユーザ認識可能インジケーション（例えば、視覚、聴覚および／または触覚的なインジケーション）を提供するように構成されるユーザインターフェースを含むことができる。いくつかの例では、ユーザインターフェースは、さらに、（例えば、皮膚の抵抗および／または静電容量の測定を実施するときの周波数である）着用者の好みに従って着用者によって指定されるウェアラブルデバイスの１つまたは複数の設定のための手段を提供することができる。いくつかの例では、ウェアラブルデバイスは、例えば、Ｂｌｕｅｔｏｏｔｈ、ＺｉｇＢｅｅ、ＷｉＦｉおよび／またはその他の無線通信プロトコルを用いて、データを外部デバイスに伝送することができる無線通信インターフェースを含むことができる。無線通信インターフェースによって伝送されるデータは、デバイスによって測定された皮膚の抵抗のような１つまたは複数の生理的パラメータを示すデータを含むことができる。
【００１４】
[0027]  本明細書に記載されるような抵抗を測定、検出または別のやり方で決定することは、コンダクタンスを測定、検出または別のやり方で決定することを含むことができることに留意されよう。すなわち、本明細書で使用されるような抵抗は、コンダクタンスの逆数として定義され、したがって、抵抗の測定、検出または決定は、自明的に、コンダクタンスの測定、検出または決定に関連付けられる。例えば、測定、検出または別のやり方で決定される（例えば、２つの電気接点間の身体外表面の皮膚の）コンダクタンスは、（例えば、その電気接点間の身体外表面の皮膚の）関連の抵抗を決定するように逆数にされ得る（例えば、コンダクタンスが−１乗される、数字１がコンダクタンスによって除算される、またはその他の同等の計算がなされる）。その逆に、測定、検出または別のやり方で決定される抵抗は、関連のコンダクタンスを決定するために逆数にされ得る。
【００１５】
[0028]  同様に、測定、検出または別のやり方で決定される抵抗を、示すこと、またはそれに基づいてその他の変数もしくは因数を決定すること、またはそれに対してデバイスを動作させること、または別のやり方でそれを使用することについての本明細書における説明は、同等に、測定、検出または別のやり方で決定されるコンダクタンスおよび／または抵抗を逆数にすることによって決定されるコンダクタンスのそうした適用を述べている。同様に、抵抗の測定、検出または決定に関して本明細書に記載される構造、動作および方法は、同等に、コンダクタンスの測定、検出もしくは決定および／またはコンダクタンスを逆数にすることによるそうしたコンダクタンスに基づく抵抗の決定を述べることができる。
【００１６】
ＩＩ．例示的なウェアラブルデバイス
[0029]  ウェアラブルデバイス１００は、それに近接する身体外表面の皮膚の皮膚抵抗を測定するように構成され得る。ウェアラブルデバイス１００は、やはりまた、それに近接する身体外表面の皮膚の静電容量を測定するように構成され得る。本開示で使用されるような用語「ウェアラブルデバイス」は、手首、足首、腰、胸または身体の他の部位など、身体外表面に近接するところ、その上またはその中に着用することができる任意のデバイスを示す。ベルト、リストバンド、アンクルバンドなどのマウント１１０は、デバイスを身体外表面に近接するところ、その上またはその中に取り付けるためにもたらされ得る。いくつかの実施形態では、マウントは、それに加えて、または別法として、接着剤を含むことができる。例えば、マウントは、接着剤を含むことができ、ウェアラブルデバイスを、着用者の一部分（例えば、四肢）の周りに巻くのではなく、着用者の身体外表面に取り付けることに使用可能なように構成され得る。マウント１１０は、ウェアラブルデバイス１００が身体に対して動かないようにすることができ、それによって、ウェアラブルデバイス１００と皮膚との間の均一な接触が確実になり、皮膚の抵抗および／または静電容量の安定した測定が可能になる。図１に示される一例では、マウント１１０は、身体の一部分の周りに着用可能な、ストラップまたはバンド１２０の形をとることができる。
【００１７】
[0030]  ハウジング１３０は、身体外表面に位置決めされ得るように、マウント１１０上に配置される。この位置において、ハウジング１３０から突出している第１の電気接点１６０と第２の電気接点１７０は、身体外表面の皮膚に接触することができ、それによって、身体外表面の皮膚の抵抗および／または静電容量が、第１の電気接点１６０と第２の電気接点１７０との間で測定される。それに加えて、または別法として、第１の電気接点１６０と第２の電気接点１７０との間の静電容量は、ウェアラブルデバイス１００が身体外表面に位置決めされていないときにも測定可能である。いくつかの例では、第１の電気接点１６０および第２の電気接点１７０は、さらに、ウェアラブルデバイス１００に電力を供給する再充電可能な電池が第１の電気接点１６０および第２の電気接点１７０を介して充電され得るように、充電器または他のデバイスとインターフェースするように構成され得る。それに加えて、または別法として、そうした再充電可能な電池は、ウェアラブルデバイス１００のコイルおよび／または他の構成要素を使用して、無線技術を用いて充電されてもよい。
【００１８】
[0031]  第１の電気接点１６０および第２の電気接点１７０は、金属、金属の組み合わせ、または非金属の導体など、導電性材料からなってよい。第１の電気接点１６０および第２の電気接点１７０は、同じ材料または異なる材料からなってよい。第１の電気接点１６０および第２の電気接点１７０は、それぞれ、単一の材料からなってよく、または複数の材料からなってもよい。例えば、第１の電気接点１６０および第２の電気接点１７０は、ある材料からなるバルクと、他の材料からなる表面めっきを有することができる。例えば、第１の電気接点１６０および第２の電気接点１７０は、銅からなるバルク、ならびに、金または金とニッケルおよび／もしくはコバルトとの合金からなる表面を有することができる。表面層は、例えば、電気めっきである、当業者に周知のいくつかの方法によって堆積されてよい。他の組成も同様に可能である。
【００１９】
[0032]  第１の電気接点１６０および第２の電気接点１７０は、ばね荷重をかけられるようにすることができる。すなわち、第１の電気接点１６０および第２の電気接点１７０は、１つもしくは複数のばね、または可逆的に圧縮可能な他の要素を含むように構成され得る。第１の電気接点１６０および第２の電気接点１７０は、ハウジング１３０が取り付けられ得る身体外表面に垂直な方向に、ばね荷重をかけられるようにすることができる。すなわち、第１の電気接点１６０および第２の電気接点１７０は、電気接点１６０、１７０と、ハウジング１３０がマウント１１０によって取り付けられている身体外表面の皮膚との間における電気接続を向上させるおよび／またはより均一にするために、ばね荷重をかけられるようにすることができる。あるいは、第１の電気接点１６０および第２の電気接点１７０は、ハウジング１３０に対して固定されてもよい。
【００２０】
[0033]  ハウジング１３０から突出する第１の電気接点１６０および第２の電気接点１７０の態様の幾何形状は、電気接点１６０、１７０と、ハウジング１３０がマウント１１０によって取り付けられている身体外表面の皮膚との間における電気接続を向上させるおよび／またはより均一にするように構成され得る。例えば、第１の電気接点１６０および第２の電気接点１７０の突出する態様は、半球形、円錐形、放物線状、円筒形またはいくつかの他のやり方で形作られてよい。第１の電気接点１６０および第２の電気接点１７０は、平坦または実質的に平坦なプレート（例えば、ハウジング１３０から突出する長方形、三角形または他の形のプレート）であってもよい。第１の電気接点１６０および第２の電気接点１７０は、面のある幾何形状を有することもできる。例えば、第１の電気接点１６０および第２の電気接点１７０は、三角形、長方形または他の形状のピラミッドであってもよい。第１の電気接点１６０および第２の電気接点１７０の突出する態様は、例えば、１〜５ミリメートルの特徴的な寸法（円筒、錐体もしくは半球の直径、直角プリズムもしくはプレートの幅、または寸法の他の基準）を有することができる。さらに、第１の電気接点１６０および第２の電気接点１７０の突出する態様は、彫刻、鋳造および／またはプレス加工されたテクスチャまたはパターンを有することもできる。それに加えて、または別法として、第１の電気接点１６０および第２の電気接点１７０の露出される態様は、機械的、化学的または他の方法により粗面化されてもよい。第１の電気接点１６０および第２の電気接点１７０の構造の他の幾何形状、寸法、表面処理および他の態様も予想される。
【００２１】
[0034]  第１の電気接点１６０および第２の電気接点１７０は、それらを用いて測定される抵抗および／または静電容量が所望の特性を有することができるように、互いに距離を置いて配置され得る。例えば、第１の電気接点１６０および第２の電気接点１７０は、１〜５０ミリメートル、例えば約２５ミリメートルの距離を置いて配置され得る。第１の電気接点１６０および第２の電気接点１７０は、ハウジング１３０がウェアラブルデバイス１００の着用者の手首に取り付けられる場合、第１の電気接点１６０および第２の電気接点１７０が着用者の前腕の骨（すなわち、上腕骨および尺骨）に実質的に平行な線上に配置されるように、ハウジング１３０に配置され得る。他の距離および方向も可能である。
【００２２】
[0035]  ハウジング１３０は、耐水性および／または防水性となるように構成され得る。すなわち、ハウジング１３０は、ハウジング１１０が水に曝されてもハウジング１３０の内部体積に水が入りにくいように、シーラント、接着剤、ガスケット、溶接部、圧入シーム（press-fitted seam）および／または他の接合部を含むように構成され得る。ハウジング１３０は、さらに、防水性であってよく、すなわち、ハウジング１３０が水に沈められてもその内部体積に水が入りにくいようにされてもよい。例えば、ハウジング１３０は、深さ１メートルの防水性であってよく、すなわち、ハウジング１３０が深さ１メートルまで沈められても、その内部体積に水が入りにくいように構成され得る。さらに、ハウジング１３０とそこから突出している第１の電気接点１６０および第２の電気接点１７０との界面は、ハウジング１３０と第１の電気接点１６０および第２の電気接点１７０との組み合わせが耐水性および／または防水性となるように構成され得る。
【００２３】
[0036]  ウェアラブルデバイス１００は、第１の電気接点１６０および第２の電気接点１７０に電子的に結合される（図１には示されない）電子部品を含む。電子部品は、ウェアラブルデバイス１００が身体外表面に取り付けられているときに、第１の電気接点１６０および第２の電気接点１７０を用いてハウジング１３０に近接する身体外表面の皮膚の抵抗および静電容量を測定するように構成される。
【００２４】
[0037]  電子部品は、キャパシタと、キャパシタと直列の電子スイッチ（例えば、FET、BJT、JFET、リレー、または他の電子作動で切り換わる電子素子）とを含む。電子スイッチとキャパシタの直列の組み合わせは、第１の電気接点１６０および第２の電気接点１７０に電子的に結合される。さらに、電子部品は、電子スイッチが閉じられているときに第１の電気接点１６０と第２の電気接点１７０との間の皮膚の抵抗に関する測定値を得るように構成される抵抗センサを含む。例えば、抵抗センサは、第１の時間の間、（例えば、特定の電流を用いて、特定の電圧を用いて、または他の特定の動作に従って、特定の継続時間中に特定の電圧まで）キャパシタを充電するように構成され得る。そして、抵抗センサは、第２の時間の間、第１の電気接点１６０と第２の電気接点１７０を介して身体外表面の皮膚を通じてキャパシタが放電しながら、１つまたは複数の時点におけるキャパシタの両端電圧を感知するように動作され得る。キャパシタの両端電圧の１つまたは複数の特性（例えば、減衰速度、減衰プロファイル、半分の電圧になるまでの減衰時間）は、第１の電気接点１６０と第２の電気接点１７０との間の皮膚の抵抗に関連付けられ得る。１つまたは複数の特性は、第１の電気接点１６０と第２の電気接点１７０との間の皮膚の抵抗を決定するために、抵抗センサを用いて（例えば、ADCを使用して１つもしくは複数の時点におけるキャパシタの両端電圧に関連する電圧を測定することによって、および、インプットとしてキャパシタの両端電圧を受けるコンパレータのアウトプットを検出することによって）検出され得る。さらに、キャパシタの特定の静電容量は、（第１の電気接点１６０と第２の電気接点１７０との間の皮膚の予想される抵抗に基づいて選択される値を有することによって）皮膚の抵抗の正確な測定を可能にするように選択され得る。例えば、キャパシタの静電容量は、約０．０１マイクロファラッドであってよい。
【００２５】
[0038]  ウェアラブルデバイス１００の電子部品は、電子スイッチが開いているときに第１の電気接点１６０と第２の電気接点１７０との間の静電容量（例えば、接点１６０と接点１７０との間の皮膚の静電容量）に関する測定値を得るように構成される静電容量センサを含む。静電容量センサは、静電容量を測定するために、様々な電子構成要素によって、第１の電気接点１６０および第２の電気接点１７０に特定の電流を流すおよび／または電圧を印加するように構成され得る。例えば、静電容量センサは、緩和発振器を含むことができる。すなわち、静電容量センサは、緩和発振器の周波数、デューティサイクルまたは他の動作特性が第１の電気接点１６０と第２の電気接点１７０との間の静電容量に関連付けられるように、特定のやり方で（例えば、特定の抵抗を有する抵抗器を介して、第１の電気接点１６０および第２の電気接点１７０に特定の充電／放電電流を流すことによって、および、特定の充電／放電電圧を印加することによって）、（例えば、第１の電気接点１６０と第２の電気接点１７０との間の皮膚、空気、または他の物質の静電容量である）第１の電気接点１６０と第２の電気接点１７０との間の等価静電容量を繰り返し充放電するように構成される構成要素を含むことができる。
【００２６】
[0039]  ウェアラブルデバイス１００は、本明細書に記載されるように検出される抵抗および／または静電容量に基づいて動作可能である。例えば、ウェアラブルデバイス１００は、決定された抵抗および／または静電容量に基づいて着用者の健康または他の状態を判定するように構成され得る。ウェアラブルデバイス１００は、決定された抵抗および／または静電容量の値、値の変化、および／またはその他の特性に基づいて、ウェアラブルデバイス１００が着用者の身体外表面に取り付けられているかどうかを判定するように構成され得る。例えば、ウェアラブルデバイスは、特定の値を下回る、および／または特定の速度で増加もしくは減少する、および／または決定静電容量の特定の最小変化量を超える、第１の電気接点１６０と第２の電気接点１７０との間の検出された静電容量に基づいて、ウェアラブルデバイス１００が着用者の手首に取り付けられていないことを判定することができる。ウェアラブルデバイス１００は、さらに、そうした決定に対して動作するように構成され得る。例えば、１つまたは複数のセンサ（例えば、抵抗センサ）は、本明細書に記載のされるように決定された静電容量の１つまたは複数の特性に基づいて、ウェアラブルデバイス１００が、それが着用者の皮膚に取り付けられていないことを判定すると、動作停止されるおよび／または低電力状態で動作され得る。そうした判定に関する他の動作も予想される。
【００２７】
[0040]  ウェアラブルデバイス１００の抵抗センサ、静電容量センサまたは他の素子は、第１の電気接点１６０および第２の電気接点１７０に近接する身体外表面の皮膚の抵抗および静電容量をそれぞれ測定する抵抗センサおよび静電容量センサの動作による着用者の負傷および／またはウェアラブルデバイス１００の損傷を防ぐように構成され得る。クランピングダイオードおよび／または関連の阻止抵抗器は、ウェアラブルデバイス１００に含まれてよく、ある特定の最大値を上回る電圧および／または電流が電気接点１６０、１７０（したがって着用者の皮膚）ならびに／またはウェアラブルデバイスの素子（例えば、抵抗センサの構成要素（例えばADC）、電気接点１６０、１７０に結合される再充電器の構成要素）に印加されないように構成され得る。阻止キャパシタ（すなわち、特定の高静電容量値を有するキャパシタ）は、１つもしくは複数または電気接点１６０、１７０と、ウェアラブルデバイス１００の電子部品との間に電気的に配置され、（例えば、長時間にわたって皮膚に直流電流が流れるのを防ぐことによって、電気接点１６０、１７０を介して皮膚に入る電流が確実に本質的に平衡になるようにすることによって）ウェアラブルデバイス１００による身体外表面の皮膚の負傷、および／または電気接点１６０、１７０における電気化学的なダメージを防ぐことができる。着用者の負傷および／またはウェアラブルデバイス１００の損傷を防ぐウェアラブルデバイス１００の他の動作および構成も予想される。
【００２８】
[0041]  ハウジング１３０から突出している電気接点１６０、１７０は、さらに、他の目的にも使用することができる。例えば、ウェアラブルデバイス１００内に配置される電子部品は、心電図（ECG）信号、電気皮膚電位（GSP）、筋電図（EMG）信号、および／または電気接点１６０、１７０におけるその他の生理的信号を感知することに使用され得る。それに加えて、または別法として、電気接点１６０、１７０は、それらに電気的に接続される充電デバイスまたはその他の電子装置の存在を検出することに使用されてもよい。また、電子部品は、ウェアラブルデバイス１００の再充電可能な電池を再充電するおよび／またはウェアラブルデバイス１００に電力を供給する充電デバイスまたは他のシステムから電気エネルギーを受けるのに電気接点１６０、１７０を使用することもできる。それに加えて、または別法として、そうした再充電可能な電池は、ウェアラブルデバイス１００内に配置されるコイルおよび他の無線充電回路によって受けられる電磁エネルギーを用いて無線で再充電されてもよい。
【００２９】
[0042]  いくつかの例では、ハウジング１３０は、さらに、ウェアラブルデバイスの着用者の健康に関する任意のパラメータを含むことができる少なくとも１つの他の生理的パラメータを検出する少なくとも１つの検出器１５０を含む。例えば、検出器１５０は、血圧、脈拍数、呼吸数、皮膚温度などを測定するように構成され得る。検出器１５０のうちの少なくとも１つは、ウェアラブルデバイスに近接する皮下の脈管構造内を循環する血液中の１つまたは複数の標的を非侵襲的に測定するように構成され得る。非排他的に列挙すると、検出器１５０は、光学（例えば、CMOS、CCD、フォトダイオード）センサ、音響（例えば、圧電、圧電セラミック）センサ、電気化学（電圧、インピーダンス）センサ、熱センサ、機械（例えば、圧力、歪）センサ、磁気センサ、または電磁気（例えば、RF、磁気共鳴）センサのうちのいずれかを含むことができる。
【００３０】
[0043]  一例では、温度センサは、第１の電気接点１６０および第２の電気接点１７０のうちの少なくとも一方に熱的に結合され得る。そして、温度センサは、ウェアラブルデバイス１００が身体外表面に取り付けられているとき、そこ（例えば、温度センサが熱的に結合される電気接点に近接する身体外表面）の皮膚の温度に関する測定値を得るように動作され得る。温度センサは、これらに限定されないが、温度センサを電気接点にはんだ付けまたは別のやり方で直接接合する、温度センサを電気接点が接合されている熱伝導性パッドにはんだ付けまたは別のやり方で接合する、電気接点と温度センサとの間に熱伝導性ペーストまたは他の熱伝導性物質または要素を塗布する、および温度センサを電気接点内（例えば、電気接点内に形成される空間内）に配置することを含む様々な方法で、第１の電気接点１６０および第２の電気接点１７０のうちの少なくとも一方に熱的に結合され得る。温度センサは、種々の感温素子および／または構成要素のうちの１つまたは複数を含むことができる。例えば、温度センサは、サーミスタ、熱電対、赤外線放射温度計、水晶温度計およびシリコンバンドギャップ温度センサのうちの１つまたは複数を含むことができる。
【００３１】
[0044]  ウェアラブルデバイス１００は、さらに、ユーザインターフェース１９０を含むことができ、それによって、デバイスの着用者は、リモートサーバもしくは他のリモートコンピューティングデバイスから、またはデバイス内のプロセッサから生成される、１つまたは複数のリコメンデーションまたはアラートを受けることができる。アラートは、ウェアラブルデバイスの着用者が気付くことのできる任意のインジケーションであってよい。例えば、アラートは、視覚的要素（例えば、ディスプレイ上の文字情報もしくはグラフィカル情報）、聴覚的要素（例えば、アラーム音）、および／または触覚的要素（例えば、バイブレーション）を含むことができる。さらに、ユーザインターフェース１９０は、アラートまたはリコメンデーションの視覚インジケーションが表示されるディスプレイ１９２を含むことができる。ディスプレイ１９２は、さらに、デバイスの電池状態のインジケーション、または測定された任意の生理的パラメータのインジケーション、例えば、デバイスによって測定された皮膚の抵抗および／または静電容量のインジケーションを提供するように構成され得る。
【００３２】
[0045]  いくつかの例では、ウェアラブルデバイスは、図２Ａ、２Ｂ、３Ａ〜Ｃ、４Ａ、４Ｂ、５および６に示されるように、手首取付式デバイスとして提供される。手首取付式デバイスは、時計またはブレスレットに類似したリストバンドまたはカフスにより人の手首に取り付けられ得る。図２Ａおよび２Ｂに示されるように、手首取付式デバイス２００は、リストバンド２２０の形のマウント２１０と、着用者の手首の前面側２４０に位置決めされるハウジング２３０と、着用者の手首の背面側２６０に位置決めされるユーザインターフェース２５０とを含むことができる。デバイスの着用者は、ユーザインターフェース２５０を介して、リモートサーバか他のリモートコンピューティングデバイスのどちらかから生成される１つもしくは複数のリコメンデーションもしくはアラート、または、（例えば、手首取付式デバイス２００によって測定された皮膚の抵抗および／もしくは静電容量に関するアラートである）手首取付式デバイス２００の動作によって生成されるアラートを受けることができる。そうした構成は、腕時計を確認する動作のように手首の背面側２６０を見ることは一般的なので、デバイスの着用者にとっては自然に感じられ得る。したがって、着用者は、ユーザインターフェースのディスプレイ２７０を簡単に見ることができる。さらに、ハウジング２３０は、着用者の手首の前面側２４０に配置され得る。しかし、他の構成も企図される。
【００３３】
[0046]  ディスプレイ２７０は、アラートもしくはリコメンデーションについての視覚インジケーション、および／またはウェアラブルデバイスの状態についてのインジケーション、または、例えば手首取付式デバイス２００によって測定された皮膚の抵抗および／もしくは静電容量である測定された生理的パラメータについてのインジケーションを表示するように構成され得る。他の例では、ディスプレイ２７０は、手首取付式デバイスが手首に取り付けられていないことの判定に関する視覚インジケーションを表示するように構成され、その場合、その判定は、手首取付式デバイスによって測定された静電容量に基づいてなされる。さらに、ユーザインターフェース２５０は、着用者からのインプットを受けるための１つまたは複数のボタン２８０を含むことができる。例えば、ボタン２８０は、ディスプレイ２７０上にみえるテキストまたは他の情報を変えるように構成され得る。図２Ｂに示されるように、ハウジング２３０は、やはりまた、着用者からのインプットを受けるための１つまたは複数のボタン２９０を含むことができる。ボタン２９０は、抵抗および／もしくは静電容量の測定時間を開始するなどの手首取付式デバイス２００の態様を制御するためのインプット、または、着用者の現在の健康状態および／もしくは情動状態（すなわち、平常、不安、立腹、平静、偏頭痛、息切れ、心臓発作、熱、「インフルエンザ様」症状、および食中毒など）を示すインプットを受けるように構成され得る。
【００３４】
[0047]  図３Ａ〜３Ｃに示される他の例示的な手首取付式デバイス３００では、ハウジング３１０およびユーザインターフェース３２０は、ともに、着用者の手首の同じ側、具体的には、手首の前面側３３０にもたらされる。背面側３４０には、ストラップ３６０上に時計の文字盤３５０が配置され得る。図３Ｂにはアナログ時計が示されているが、当業者には、デジタル時計のようなあらゆるタイプの時計が設けられてよいことが理解されよう。
【００３５】
[0048]  図３Ｃに見られるように、ハウジング３１０の内面３７０は、着用者の身体外表面の皮膚に近接して着用されることを目的としている。第１の電気接点３８２および第２の電気接点３８６は、手首取付式デバイス３００が着用者の手首に取り付けられるときに第１の電気接点３８２および第２の電気接点３８６が内面３７０に近接する皮膚に安定したかたちで電気接触するように、ハウジング３１０の内面３７０から突出している。手首取付式デバイス３００が上述したように着用者の手首に取り付けられているとき、第１の電気接点３８２および第２の電気接点３８６に結合される電子部品は、内面３７０に近接する皮膚の抵抗および／または静電容量を測定することができる。手首取付式デバイス３００が着用者の手首に取り付けられていないとき、第１の電気接点３８２および第２の電気接点３８６に結合される電子部品は、第１の電気接点３８２と第２の電気接点３８６との間の静電容量を測定することができ、それが、手首取付式デバイス３００が着用者の手首に取り付けられていないことの判定に使用される。第１の電気接点３８２および第２の電気接点３８６は、手首取付式デバイス３００の追加の機能を可能にするように使用されてよく、例えば、第１の電気接点３８２および第２の電気接点３８６は、手首取付式デバイス３００の電池の充電に使用されてもよい。
【００３６】
[0049]  図４Ａ、４Ｂに示されるさらなる一例では、手首取付式デバイス４００は、ストラップ４３０に配置されるハウジング４１０を含む。ハウジング４１０の内面４４０は、ハウジング４１０から突出する第１の電気接点４２２および第２の電気接点４２４がハウジング４１０に近接する身体の表面の皮膚の抵抗および／または静電容量を測定することに使用可能なように、身体の表面に近接して位置決めされる。ハウジング４１０の内面４４０には、着用者の少なくとも１つの他の生理的パラメータを検出するための検出器４４５が配置されてもよい。ディスプレイ４６０を含むユーザインターフェース４５０は、ハウジング４１０の外側に向けて位置決めされ得る。他の実施形態に関連して上述したように、ユーザインターフェース４５０は、手首取付式デバイス４００が作動しているかどうか、および（例えば、第１の電気接点４２２と第２の電気接点４２４との間での測定された静電容量に基づいて）手首取付式デバイス４００が着用者の手首に取り付けられているかどうか、第１の電気接点４２２および第２の電気接点４２４を用いて測定されるハウジング４１０の内面４４０に近接する皮膚の抵抗および／または静電容量、検出器４４５を用いて得られる着用者についての生理的データ、ならびにリモートサーバ、他のリモートコンピューティングデバイスまたは手首取付式デバイス４００内に配置されるプロセッサによって生成される１つまたは複数のアラートを含む手首取付式デバイス４００についてのデータを表示するように構成され得る。ユーザインターフェース４５０は、時刻、日付または着用者に関係のある他の情報を表示するように構成されてもよい。
【００３７】
[0050]  図５に示されるように、さらなる一実施形態では、手首取付式デバイス５００は、カフス５１０に設けられ得る。上述した実施形態と同様、デバイス５００は、ハウジング５２０と、ディスプレイ５４０および１つまたは複数のボタン５５０を含むことができるユーザインターフェース５３０とを含む。ディスプレイ５４０は、さらに、着用者による１つまたは複数のインプットを受けるように構成されるタッチスクリーンディスプレイであってよい。例えば、図６に示されるように、ディスプレイ６１０は、デバイス６００のいくつかの機能もしくは態様を制御するための１つもしくは複数のインプット、またはユーザによる例えば現在の健康および／もしくは情動状態などの情報のインプットを受けるための、１つまたは複数のバーチャルボタン６２０を表示するように構成されるタッチスクリーンであってよい。
【００３８】
[0051]  図７は、１つまたは複数のウェアラブルデバイス７１０を含むシステム７００の簡素化された概略図である。１つまたは複数のウェアラブルデバイス７１０は、通信インターフェース７１５を介して、１つまたは複数の通信ネットワーク７２０を通じてリモートサーバ７３０にデータを伝送するように構成され得る。一実施形態では、通信インターフェース７１５は、サーバ７３０との間で（例えば、測定された皮膚の抵抗および／または静電容量のインジケーションである）通信を送受信するための無線トランシーバを含む。さらなる実施形態では、通信インターフェース７１５は、有線および無線の通信の両方を含む、データの転送のための任意の手段を含むことができる。例えば、通信インターフェース７１５は、ユニバーサルシリアルバス（USB）インターフェース、またはセキュアデジタル（SD）カードインターフェースを含むことができる。通信ネットワーク７２０は、単純旧式電話サービス（POTS）ネットワーク、セルラーネットワーク、ファイバーネットワークおよびデータネットワークのうちのいずれかを含むことができる。サーバ７３０は、任意のタイプのリモートコンピューティングデバイスまたはリモートクラウドコンピューティングネットワークを含むことができる。さらに、通信ネットワーク７２０は、例えば、ウェアラブルデバイス７１０がデータを携帯電話または他のパーソナルコンピューティングデバイスに伝送し、それがデータをサーバ７３０に伝送することを含む、１つまたは複数の媒介手段を含むことができる。
【００３９】
[0052]  サーバは、さらに、ユーザによるインプットとしての健康および／もしくは情動状態に関するデータ、またはウェアラブルデバイスに近接する着用者の身体外表面の皮膚の抵抗および／もしくは静電容量の測定値など、ウェアラブルデバイス７１０からの通信を受信することに加えて、着用者の全体的な医療歴、環境要因および地理データに関する情報を、ウェアラブルデバイス７１０かその他のソースのどちらかから収集するおよび／または受信するように構成され得る。例えば、ユーザアカウントは、着用者の医療歴を含む着用者ごとのサーバにおいて確立され得る。さらに、いくつかの例では、サーバ７３０は、疾病対策センター（CDC）からのウイルス性疾患または食中毒発生、ならびに国立気象局からの天気、公害およびアレルゲンデータなど、環境データソースからの情報を定期的に受けるように構成され得る。さらに、サーバは、病院または医師からの着用者の健康状態に関するデータを受けるように構成され得る。そうした情報は、相関関係の把握および臨床プロトコルの作成など、サーバの意思決定プロセスにおいて使用され得る。
【００４０】
[0053]  さらに、サーバは、日付、時刻、および各測定時間中のデバイスの各着用者の地理的な位置を収集および／または受信するように構成され得る。ユーザの生理的パラメータ（例えば、皮膚の抵抗および／または静電容量）の測定の場合、そうした情報は、空間的かつ時間的な病気の蔓延を検出し監視することに使用可能である。したがって、ウェアラブルデバイスは、それ自体の位置のインジケーションを決定するおよび／または提供するように構成され得る。例えば、ウェアラブルデバイスは、サーバと通信するＧＰＳ位置情報（例えば、GPS座標）を含むことができるように、ＧＰＳシステムを含むことができる。他の例として、ウェアラブルデバイスは、その位置の決定のために、（例えば、セルラーネットワークにおける基地局間の）三角測量を含む技術を使用することができる。他の位置決定技術も可能である。
【００４１】
[0054]  さらに、システムのいくつかの実施形態は、自動的に実行されるまたはデバイスの着用者によって制御され得るプライバシーコントロールを含むことができる。例えば、収集された着用者のデータが臨床家による分析のためにクラウドコンピューティングネットワークにアップロードされる場合、データは、個人を特定できる情報が除かれるように、記憶または使用される前に１つまたは複数のやり方で処理され得る。例えば、ユーザの身元は、ユーザについての個人を特定できる情報を判定できないように処理されてよく、または、位置情報が取得される場合、ユーザの地理的な位置は、ユーザの具体的な場所が決定不可能になるように、（例えば、都市、郵便番号または州レベルなどにまで）一般化されてよい。
【００４２】
[0055]  それに加えて、または別法として、デバイスの着用者は、デバイスが着用者についての情報（例えば、ユーザの医療歴、社会的な行為もしくは活動、職業、ユーザの好み、またはユーザの現在位置についての情報）を収集するかどうか、またはその収集方法をコントロールする機会、あるいは、そうした情報の使用方法をコントロールする機会を持つことができる。したがって、着用者は、彼または彼女についての情報の収集方法、および臨床家、医師またはデータの他の利用者による使用方法に対するコントロールを有することができる。例えば、着用者は、彼または彼女のデバイスから収集される健康状態および生理的パラメータなどのデータを、彼または彼女自身のデータの収集および比較に応じた個人の基準およびリコメンデーションの作成のためだけに使用することができ、母集団の基準の作成もしくは母集団の相関研究の使用には使用できないようにすることを選ぶことができる。
【００４３】
ＩＩＩ．ウェアラブルデバイス内に配置される例示的な電子部品
[0056]  図８は、例示的な一実施形態による、ウェアラブルデバイス８００の構成要素を示す簡素化されたブロック図である。ウェアラブルデバイス８００は、図１、２Ａ〜Ｂ、３Ａ〜Ｃ、４Ａ〜Ｃ、５および６に示される、ウェアラブルデバイス１００および／または手首取付式デバイス２００、３００、４００、５００、６００のうちの一つの形態をとることができる、またはそれに類似していてよい。しかし、ウェアラブルデバイス８００は、例えば、足首、腰、または胸取付式デバイスなど、他の形態をとることもできる。
【００４４】
[0057]  具体的には、図８は、ウェアラブルデバイス８００の一例を示している。ウェアラブルデバイス８００は、ハウジング８１０と、ハウジング８１０に近接する着用者の外表面の皮膚の抵抗および静電容量（例えば、身体外表面の皮膚の静電容量）を測定するための電子部品８３０と、再充電可能な電池８３５と、ユーザインターフェース８８０と、データをサーバに伝送するための通信インターフェース８９０と、温度センサ８４４と、プロセッサ８５０とを有する。ウェアラブルデバイス８００の構成要素は、デバイスを、皮膚の抵抗および／または静電容量が測定され得る身体外表面に取り付けるためのマウント８２０上に配置され得る。ウェアラブルデバイス８００は、さらに、ハウジング８１０から突出し電子部品８３０に動作可能に結合される、第１の電気接点８４０と、第２の電気接点８４５とを含む。電子部品８３０は、第１の電気接点８４０および第２の電気接点８４５を使用して、ハウジング８１０に近接する皮膚の抵抗、および第１の電気接点８４０と第２の電気接点８４５との間の静電容量（例えば、ハウジング８１０に近接する皮膚の静電容量）を測定する。電子部品は、第１の電気接点８４０および第２の電気接点８４５を用いて他の機能を実行するように、例えば、電子部品への電力供給および再充電可能な電池８３５を再充電する充電器または他の外部デバイスもしくはシステムとインターフェースするように構成され得る。それに加えて、または別法として、再充電可能な電池８３５は、ウェアラブルデバイス８００のコイルおよび／または他の構成要素（図示せず）を使用して、無線技術を用いて充電されてもよい。さらに、温度センサ８４４は、第１の電気接点８４０に熱的に結合され、したがって、ハウジング８１０に近接する皮膚（例えば、第１の電気接点８４０に接触する皮膚）の温度に関する測定値を得ることに使用することができる。
【００４５】
[0058]  プロセッサ８５０は、汎用プロセッサまたは専用プロセッサ（例えば、デジタルシグナルプロセッサ、および、特定用途向け集積回路など）であってよい。１つまたは複数のプロセッサ８５０は、コンピュータ可読媒体８６０に記憶され本明細書に記載のウェアラブルデバイス８００の機能性をもたらすように実行可能な、コンピュータ可読プログラム命令８７２を実行するように構成され得る。
【００４６】
[0059]  コンピュータ可読媒体８６０は、少なくとも１つのプロセッサ８５０によって読み込まれるまたはアクセスされ得る、１つまたは複数の非一時的コンピュータ可読記憶媒体を含むまたはその形態をとることができる。１つまたは複数のコンピュータ可読記憶媒体は、１つまたは複数のプロセッサ８５０のうちの少なくとも１つに全体的または部分的に一体化され得る、光学、磁気、有機または他のメモリまたはディスク記憶装置など、揮発性および／または不揮発性の記憶構成要素を含むことができる。いくつかの実施形態では、コンピュータ可読媒体８６０は、単一の物理的デバイス（例えば、光学、磁気、有機または他のメモリ、またはディスク記憶装置）を用いて実装可能であるが、他の実施形態では、コンピュータ可読媒体８６０は、２つ以上の物理的デバイスを用いて実装可能である。
【００４７】
[0060]  電子部品８３０は、キャパシタと、キャパシタと直列の電子スイッチ（例えば、FET、BJT、JFET、リレー、または他の電子作動で切り換わる電子素子）とを含む。電子スイッチとキャパシタの直列の組み合わせは、第１の電気接点８４０および第２の電気接点８４５に電子的に結合される。さらに、電子部品８３０は、電子スイッチが閉じられているときに第１の電気接点８４０と第２の電気接点８４５との間の皮膚の抵抗に関する測定値を得るように構成される抵抗センサを含む。例えば、抵抗センサは、第１の時間の間、（例えば、特定の電流を用いて、特定の電圧を用いて、または他の特定の動作に従って、特定の継続時間中に特定の電圧まで）キャパシタを充電するように構成され得る。そして、抵抗センサは、第２の時間の間、第１の電気接点８４０と第２の電気接点８４５を介して身体外表面の皮膚を通じてキャパシタが放電しながら、１つまたは複数の時点におけるキャパシタの両端電圧を感知するように動作され得る。キャパシタの両端電圧の１つまたは複数の特性（例えば、減衰速度、減衰プロファイル、半分の電圧になるまでの減衰時間）は、第１の電気接点８４０と第２の電気接点８４５との間の皮膚の抵抗に関連付けられ得る。１つまたは複数の特性は、第１の電気接点８４０と第２の電気接点８４５との間の皮膚の抵抗を決定するために、抵抗センサを用いて（例えば、ADCを使用して１つもしくは複数の時点におけるキャパシタの両端電圧に関連する電圧を測定することによって、および、インプットとしてキャパシタの両端電圧を受けるコンパレータのアウトプットを検出することによって）検出され得る。さらに、キャパシタの特定の静電容量は、（第１の電気接点８４０と第２の電気接点８４５との間の皮膚の予想される抵抗に基づいて選択される値を有することによって）皮膚の抵抗の正確な測定を可能にするように選択され得る。例えば、キャパシタの静電容量は、約０．０１マイクロファラッドであってよい。
【００４８】
[0061]  抵抗センサは、本明細書に記載されるような皮膚の抵抗を測定することができるように様々なやり方で構成され得る。例えば、抵抗センサは、キャパシタおよび／または電子スイッチに接続される電圧源と電圧センサ（例えば、ADC）とを含むことができる。例えば、電圧源および電圧センサは、例えばキャパシタに流される充電電流を制限するように構成される特定の抵抗（例えば、約１キロオームの抵抗）を有する抵抗器を介して、キャパシタに電気的に接続されよい。電圧源は、電圧源スイッチを介して、第１の時間の間に（またはその他の動作に従って）キャパシタを充電するように構成され得る。例えば、電圧源スイッチは、第１の時間の間、電圧源をキャパシタに接続するように（すなわち、キャパシタを充電するように）動作可能である。また、電圧源スイッチは、第２の時間の間、キャパシタから電圧源を切断する（すなわち、第１の電気接点８４０および第２の電気接点８４５を介して皮膚を通してキャパシタを放電するように）動作可能である。
【００４９】
[0062]  いくつかの例では、抵抗センサの電圧源、電圧センサおよび他の素子は、抵抗器またはその他の電子構成要素を介してキャパシタならびに第１の電気接点８４０および第２の電気接点８４５のうちの一方に結合されるマイクロプロセッサ（例えば、論理ゲート、キャパシタ、高インピーダンス電子スイッチ（例えば、CMOS、FET）、または他のマイクロ電子部品）のピンに電子的に結合されるマイクロプロセッサ（例えば８５０）の素子であってよい。例えば、電圧源は、マイクロプロセッサの内部電圧源であってよく、電圧源スイッチは、マイクロプロセッサの内部電圧源および／または内部接地をマイクロプロセッサのピンに電気的に接続するように構成され、また、ピンを内部電圧源および／または内部接地に接続しないときは高インピーダンス素子のようにみえる（例えば、ピンに「スリーステート（three-state）」のデジタルアウトプットをもたらす）ように構成される、マイクロプロセッサのゲートであってよい。マイクロプロセッサのＡＤＣは、さらに、ピンに電気的に接続されるように構成され得る。
【００５０】
[0063]  電子部品８３０は、電子スイッチが開いているとき、第１の電気接点８４０と第２の電気接点８４５との間の静電容量（例えば、接点８４０と接点８４５との間の皮膚の静電容量）に関する測定値を得るように構成される静電容量センサを含む。静電容量センサは、静電容量を測定するために、様々な電子構成要素によって、第１の電気接点８４０および第２の電気接点８４５に特定の電流を流すおよび／または電圧を印加するように構成され得る。例えば、静電容量センサは、緩和発振器を含むことができる。すなわち、静電容量センサは、緩和発振器の周波数、デューティサイクルまたは他の動作特性が第１の電気接点８４０と第２の電気接点８４５との間の静電容量に関連付けられるように、特定のやり方で（例えば、特定の抵抗を有する抵抗器を介して、第１の電気接点８４０および第２の電気接点８４５に特定の充電／放電電流を流すことによって、および、特定の充電／放電電圧を印加することによって）、（例えば、第１の電気接点８４０と第２の電気接点８４５との間の皮膚、空気、または他の物質の静電容量である）第１の電気接点８４０と第２の電気接点８４５との間の等価静電容量を繰り返し充放電するように構成される構成要素を含むことができる。
【００５１】
[0064]  特定の一実施形態では、緩和発振器は、第１の電子スイッチおよび電流制限抵抗器を介して第１の電気接点８４０と第２の電気接点８４５との間の等価静電容量を充電するように構成される電圧源を含むことができる。緩和発振器は、さらに、電流制限抵抗器を介して（例えば、第１の電気接点８４０および第２の電気接点８４５を一緒に接続することによって）等価静電容量を放電するように構成される第２の電子スイッチを含むことができる。コンパレータ（または他の電圧センサ、例えば、ADC、シュミットトリガ）は、電気接点８４０と電気接点８４５との間の電圧が、第１の特定の電圧（例えば、静電容量センサの電圧源によってもたらされる電圧の第１のフラクション（fraction））に達したことを判定するように動作され得る。次いで、それに応答して、第１の電子スイッチが開けられ（すなわち、それによってキャパシタが電圧源によってそれ以上充電されなくなり）、それに応答して、第２の電子スイッチが閉じられる（すなわち、それによってキャパシタが放電される）。同様に、第２のコンパレータ（または、上述と同様であるおよび／もしくは第１の電圧センサと共通の素子を含むことができる他の電圧センサ）は、第１の電気接点８４０と第２の電気接点８４５との間の電圧が第２の特定の電圧（例えば、第１のフラクションよりも小さい、静電容量センサの電圧源によってもたらされる電圧の第２のフラクション）まで減少したことを判定するように動作され得る。次いで、それに応答して、第２の電子スイッチが開けられ（すなわち、それによってキャパシタがそれ以上放電されなくなり）、それに応答して、第１の電子スイッチが閉じられる（すなわち、それによってキャパシタが電圧源によって充電されるようになる）。したがって、第１および／または第２のコンパレータのアウトプットの周波数、パルス幅、デューティサイクル、または他の特性は、（例えば、電気接点８４０と電気接点８４５との間の皮膚の皮膚静電容量の）第１の電気接点８４０と第２の電気接点８４５との間の等価静電容量の特性を決定することに使用可能である。
【００５２】
[0065]  静電容量センサの追加または代替の素子および動作も予想される。例えば、静電容量センサは、第１の電気接点８４０と第２の電気接点８４５との間の等価静電容量が、第１の電気接点８４０と第２の電気接点８４５との間の静電容量を決定するように検出され得る電気信号（例えば、静電容量ブリッジの素子間および／または両端の電圧）を生成するように（例えば、特定の時変電圧波形を用いて）励起され得る静電容量および／または抵抗ブリッジ回路の一つの脚を形成するように構成され得る。静電容量センサは、例えば、皮膚の抵抗を測定するまたは他の動作を可能にするような抵抗センサによる電気接点８４０、８４５の使用に静電容量センサが干渉しないようにするＤＣ阻止キャパシタを介して第１の電気接点８４０および／または第２の電気接点８４５に接続され得る。そうしたＤＣ阻止キャパシタは、予想される皮膚の静電容量値よりも大きな特定の静電容量を有することができ、例えば、約０．１マイクロファラッド以上の静電容量を有することができる。
【００５３】
[0066]  電子部品８３０は、追加の構成要素を含むことができる。いくつかの例では、電子部品８３０は、再充電可能な電池８３５を再充電し、電気接点８４０、８４５を介して電力が供給されるように構成される再充電器を含むことができる。いくつかの例では、ウェアラブルデバイス８００は、外部充電器に取り付けられるように構成され得る。外部充電器は、再充電可能な電池８３５を再充電する再充電器に電力を供給するのに十分な電圧および／または電流を電気接点８４０、８４５に印加するように構成され得る。電子部品８３０は、再充電器と、電気接点８４０、８４５との間に電気的に配置される整流器、キャパシタまたは他の素子とを含むことができる。整流器または他の素子は、ウェアラブルデバイス８００が着用者の外表面に取り付けられており外部充電器に取り付けられていないときに電気接点８４０、８４５を用いてなされる抵抗および／または静電容量の測定における電気的干渉を減少させるように構成され得る。それに加えて、または別法として、ウェアラブルデバイス８００は、（例えば無線充電器から）電磁エネルギーを受け、受け取った電磁エネルギーを用いて再充電可能な電池８３５を再充電するように構成されるコイルおよび他の構成要素を含むことができる。電子部品８３０は、電気接点８４０、８４５を用いてＥＣＧ、ＥＭＧまたはその他の電気信号を検出するように構成される構成要素を含むことができる。電子部品８３０は、ウェアラブルデバイス８００の着用者および／またはウェアラブルデバイス８００の環境についての１つまたは複数の特性を検出するように構成されるその他のセンサ（例えば、加速度計、光パルスセンサ、パルスオキシメータ、温度計、温度センサ８４４）を動作させる構成要素を含むことができる。
【００５４】
[0067]  電子部品８３０、プロセッサ８５０、再充電可能な電池８３５および他の構成要素は、単一のハウジング８１０内に配置されるとして本明細書に記載されているが、他の構造も予想されることに留意されよう。いくつかの例では、ウェアラブルデバイスは、複数のハウジングを含むことができ（例えば、図１、２Ａ〜Ｂ、３Ａ〜Ｃに示されるウェアラブルデバイス１００、２００、３００）、ウェアラブルデバイスの構成要素は、複数のハウジングの中に分散されてもよい。例えば、第１のハウジングは、電子部品８３０のうちのいくつか（例えば、抵抗測定電子部品、静電容量感知電子部品、温度感知電子部品）を含むことができ、電気接点８４０、８４５は、第１のハウジングから突出することができる。第２のハウジングは、再充電器電子部品および再充電可能な電池８３５を含むことができ、第２のハウジング内に配置される素子は、第１のハウジング内に配置される素子に電気的に接続され得る。他の数のハウジング、ハウジングの構成および複数のハウジング内における構成要素の配置も予想される。
【００５５】
[0068]  コンピュータ可読媒体８６０に記憶されるプログラム命令８７２は、本明細書に記載のデバイス機能性のいくつかまたはすべてを実行するまたは促進する命令を含むことができる。例えば、プログラム命令８７２は、電気接点８４０、８４５を用いて抵抗および／または静電容量の測定を行うように電子部品８３０を動作させる命令を含むことができる。プログラム命令８７２は、さらに、電気接点８４０、８４５に電気的に結合されるウェアラブルデバイス８００の他の素子（例えば、電子部品８３０の抵抗センサ）をダメージから守るように電子部品８３０の他の素子（例えば、スイッチ、回路遮断器、FET）を動作させる命令を含むことができる。プログラム命令８７２は、コンピュータ可読媒体８６０に記憶されているパラメータおよびユーザデータ８７４に基づいた動作、ならびに／またはそのパラメータおよびユーザデータ８７４の修正の命令を含むことができる。例えば、パラメータおよびユーザデータ８７４は、ウェアラブルデバイス８００についてのキャリブレーションデータ、ならびに／または記憶されたウェアラブルデバイス８００を用いてなされた抵抗、温度および／もしくは静電容量の測定値を含むことができる。
【００５６】
[0069]  コンピュータ可読媒体８６０に記憶されるプログラム命令８７２は、電気接点８４０、８４５を用いて抵抗および／または静電容量を測定するように電子部品８３０を動作させる命令を含むことができる。命令は、電子部品８３０の電流源、電圧源、プログラム可能抵抗器、ＡＤＣ、１つもしくは複数の電子スイッチ、および／またはその他の構成要素を作動させるおよび／またはその値を設定する命令を含むことができる。命令は、抵抗および／または静電容量に関する測定を行うように電圧源または電流源を動作させる命令を含むことができる。命令は、その測定値に基づいて抵抗および／または静電容量を決定する命令を含むことができる。命令は、さらに、パラメータおよびユーザデータ８７４に記憶されているキャリブレーションデータまたは他のデータに基づいて抵抗および／または静電容量を決定する命令を含むことができる。命令は、抵抗および／または静電容量に関する測定値に基づいて、ウェアラブルデバイス８００が着用者の外表面の皮膚に取り付けらたかどうかを判定する命令を含むことができる。
【００５７】
[0070]  電気接点８４０、８４５を用いて抵抗および／または静電容量を測定するように電子部品８３０を使用することに関するプログラム命令８７２における他の命令も予想される。プログラム命令８７２は、電子部品８３０を用いて複数の時点における抵抗および／または静電容量の複数の測定および／または決定を行う命令を含むことができる。プログラム命令８７２は、パラメータおよびユーザデータ８７４に抵抗および／または静電容量の測定値を記憶する、ならびに／あるいは抵抗および／もしくは静電容量または他の因子の測定値に基づいた最近もしくは最新のキャリブレーションデータまたは他のデータをパラメータおよびユーザデータ８７４に記憶する命令を含むことができる。
【００５８】
[0071]  命令は、測定または決定された抵抗または静電容量に基づいてウェアラブルデバイス８００を動作させる命令を含むことができる。例えば、命令は、決定された抵抗および／または静電容量に基づいて、着用者の健康または他の状態を決定する方法を説明することができる。命令は、決定された抵抗および／または静電容量の値、値の変化および／またはその他の特性に基づいて、ウェアラブルデバイス８００が着用者の身体外表面に取り付けられているかどうかを決定する方法を説明することができる。例えば、命令は、特定の値を下回る、および／または特定の速度で増加もしくは減少する、および／または決定静電容量の特定の最小変化量を超える、第１の電気接点８４０と第２の電気接点８４５との間の検出された静電容量に基づいて、ウェアラブルデバイス８００が着用者の手首に取り付けられていないことを判定する方法を説明することができる。命令は、さらに、そうした決定に対してウェアラブルデバイス８００を動作させる方法を説明することができる。例えば、１つまたは複数のセンサ（例えば、抵抗センサ）は、本明細書に記載されるような決定された静電容量の１つまたは複数の特性に基づいて、ウェアラブルデバイス８００が、それが着用者の皮膚に取り付けられていることを判定すると、動作停止されるおよび／または低電力状態で動作され得る。そうした判定に対する他の動作も予想され、プログラム命令８７２によって説明され得る。
【００５９】
[0072]  コンピュータ可読媒体８６０に記憶されるプログラム命令８７２は、再充電可能な電池８３５を再充電するおよび／または再充電可能な電池８３５を用いてウェアラブルデバイス８００に電力を供給するようにウェアラブルデバイス８００の構成要素（例えば電子部品８３０）を動作させる命令を含むことができる。例えば、命令は、電気接点８４０、８４５から再充電器へ、および／または再充電器から再充電可能な電池８３５への電力をゲート制御するスイッチまたは他の電気構成要素を動作させる命令を含むことができる。それに加えて、または別法として、命令は、電気接点８４０、８４５と電気接触にある外部充電器の存在を検出するおよび／または再充電可能な電池８３５の充電状態を検出する電圧センサまたは電流センサ（場合によっては電子部品８３０の抵抗センサおよび／または静電容量センサ）を動作させる命令を含むことができる。電子部品８３０の再充電器および／または整流器素子は、受動素子であってよく、すなわち、ウェアラブルデバイス８００が外部充電器または適切に構成される他の電源に取り付けられるとき、プロセッサ８５０またはウェアラブルデバイス８００の（電気接点８４０、８４５以外の）他の素子による直接的な動作なしに再充電可能な電池８３５を再充電するおよび／またはウェアラブルデバイス８００に電力を供給するように構成され得る。それに加えて、または別法として、コイルおよびウェアラブルデバイス８００の無線充電器の他の構成要素は、電磁エネルギーを受け、受け取った電磁エネルギーを用いて再充電可能な電池８３５を充電するように構成されてもよい。
【００６０】
[0073]  プログラム命令８７２は、ユーザインターフェース８８０を動作させる命令を含むことができる。例えば、プログラム命令８７２は、ウェアラブルデバイス８００についてのデータを表示する命令、測定および／または決定された抵抗、静電容量および／もしくは温度またはウェアラブルデバイス８００によって生成される他の情報を表示する命令、あるいはウェアラブルデバイス８００によって生成されるおよび／または外部システムから受信した１つもしくは複数のアラートを表示する命令を含むことができる。さらに、プログラム命令８７２は、ユーザインターフェース８８０上に配置される１つまたは複数のボタンによって受け付けられるインプットなど、ユーザインターフェース８８０によって受け付けられるインプットに基づいていくつかの機能を実行する命令を含むことができる。
【００６１】
[0074]  さらに、通信インターフェース８９０は、ウェアラブルデバイス８００上または内部に配置され得るアンテナを介して情報を送信および／または受信する命令などのプログラム命令８７２の命令によって動作され得る。通信インターフェース８９０は、任意選択により、アンテナによって伝送および／または受信される搬送周波数における情報を変調および／または復調する１つまたは複数の発振器、ミキサ、周波数インジェクタ（frequency injector）などを含むことができる。いくつかの例では、ウェアラブルデバイス８００は、リモートサーバまたは他のリモートコンピューティングデバイスによって知覚可能なやり方でアンテナのインピーダンスを変調することによってプロセッサからのアウトプットを示すように構成される。
【００６２】
[0075]  いくつかの例では、通信インターフェース８９０は、電気接点８４０、８４５に動作可能に結合され、電気接点８４０、８４５を用いて外部システムと通信するように構成され得る。いくつかの例では、これは、電気接点８４０、８４５が外部システムの構成要素に電気的に接触するようにウェアラブルデバイス８００がその外部システムに取り付けられるとき、電気接点８４０、８４５を介して伝送される電圧および／または電流の信号を送信および／または受信することを含む。
【００６３】
[0076]  いくつかの例では、抵抗測定値、静電容量測定値、温度測定値、着用者のプロフィール、ウェアラブルデバイスの使用歴、デバイスの着用者によってインプットされる健康状態情報、ならびに生成されたリコメンデーションおよび臨床プロトコルは、さらに、クラウドネットワークにインプットされ、着用者の医師によってダウンロードに利用される。傾向および他の分析は、クラウドコンピュータネットワークにある生理的パラメータデータおよび健康状態情報などの収集されたデータにおいて実施され、医師または臨床家によるダウンロードのために利用され得る。
【００６４】
[0077]  さらに、デバイスの着用者の個人または母集団からの、抵抗、温度および／または静電容量の測定値ならびに健康状態データは、薬物または他の処置の有効性のモニタリングにおいて、医師または臨床家によって使用され得る。例えば、高密度のリアルタイムデータは、開発中の薬物または治療法の安全性および有効性を評価する臨床研究に参加しているデバイス着用者の母集団から収集され得る。そうしたデータは、個人レベルでの薬物または治療法に対する特定の着用者の反応を評価することに使用することもできる。このデータをもとに、医師または臨床家は、個人のニーズにあった薬物治療を作成することもできる。
【００６５】
[0078]   ウェアラブルデバイス８００は、プログラム命令８７２に含まれる医学的な状態が示される命令による決定に応答して、ユーザインターフェース８８０を介してアラートを生成することができる。アラートは、ディスプレイ上の文字情報またはグラフィカル情報のような視覚的要素、聴覚的要素（例えば、アラーム音）、触覚的要素（例えば、バイブレーション）、および／または電気触覚（electro-haptic）的要素（例えば、電気接点８４０、８４５を用いて送達される電気触覚刺激）を含むことができる。文字情報は、デバイス着用者による医療専門家への連絡、至急の治療または薬剤の投与のリコメンデーションなど、１つまたは複数のリコメンデーションを含むことができる。
【００６６】
[0079]  図９は、ウェアラブルデバイスに配置される第１の電気接点９１０および第２の電気接点９１５を用いて皮膚の抵抗および／または静電容量（例えば、皮膚の静電容量）を測定する、ウェアラブルデバイス内に配置され得る電子部品９００の簡素化された回路図である。電子部品９００は、第２の電気接点９１５に電気的に接続される共通電気接地９２０を含むように構成される。電子部品は、電子スイッチ９３５に直列に接続されるキャパシタ９３０を含み、キャパシタ９３０と電子スイッチ９３５の直列の組み合わせは、第１の電気接点９１０と第２の電気接点９２０との間に電気的に接続される。電子部品９００は、電子スイッチ９３５が閉じられているときに第１の電気接点９１０および第２の電気接点９１５に近接する皮膚の抵抗に関する測定値を得るように構成される抵抗センサ９４０を含む。抵抗センサ９４０は、電圧源９４１と、電圧源スイッチ９４３と、抵抗器９４５と、電圧センサ９４７とを含むことができる。電子部品９００は、さらに、第１の電気接点９１０と第２の電気接点９１５との間の静電容量を測定するように構成される静電容量センサ９６０とＤＣ阻止キャパシタ９６５とを含む。
【００６７】
[0080]  図９の例では、電圧源９４１は、電圧源スイッチ９４３および抵抗器９３５を介して第１の電気接点９１０に電気的に接続される。さらに、電圧センサ９４７は、抵抗器９４５を介して第１の電気接点９１０に電気的に接続されるインプットを有する。さらに、少なくとも基準電圧源９４１、電圧センサ９４７、静電容量センサ９６０および電子スイッチ９３５は、第２の電気接点９１５に電気的に接続される共通電気接地９２０に電気的に接続される。
【００６８】
[0081]  電子部品９００は、ウェアラブルデバイス（例えば、図１、２Ａ〜Ｂ、３Ａ〜Ｃ、４Ａ〜Ｂ、５、６、７および８に示されるウェアラブルデバイス１００、２００、３００、４００、５００、６００、７１０、８００）内に配置され得る。電子部品９００の個々の素子は、それぞれの別個の構成要素として具現化され得る。それに加えて、また代替として、電子部品９００の１つまたは複数の素子は、１つまたは複数の集積回路に組み込まれてもよい。電子部品９００が複数のハウジングまたは他のサブアセンブリからなるウェアラブルデバイスに含まれる例では、電子部品９００の素子は、すべて、単一のハウジング内またはサブアセンブリ内に配置可能であり、または、電子部品９００の素子は、複数のハウジングもしくはサブアセンブリ内に配置されてハウジングもしくはサブアセンブリ間を結ぶワイヤ、ケーブルもしくは他の手段を用いて互いに接続されてもよい。
【００６９】
[0082]  第１の電気接点９１０および第２の電気接点９１５に近接する身体外表面の皮膚の抵抗に関する測定値の取得は、第１の電気スイッチ９３５が閉じられているとき、第１の時間の間、（例えば、特定の電流を用いて、特定の電圧を用いて、または他の特定の動作に従って、特定の継続時間中に特定の電圧まで）キャパシタ９３０を充電するように抵抗センサ９４０を動作させることを含むことができる。これは、電圧源９４１が、少なくとも、キャパシタ９３０の静電容量、抵抗器９４５の抵抗、および電圧源９４１によってもたらされる電圧とキャパシタ９３０の両端電圧との差に関連する速度（すなわち電流）で抵抗器９４５を介してキャパシタ９３０を充電するように、第１の時間の間、電圧源スイッチ９４３を閉じることを含むことができる。次いで、抵抗センサは、電子スイッチ９３５が閉じられているとき、第２の時間の間、キャパシタが第１の電気接点９１０および第２の電気接点９１５を介して身体外表面の皮膚を通って放電しながら、１つまたは複数の時点におけるキャパシタの両端電圧を感知するように動作され得る。これは、第２の時間の間、キャパシタ９３０が電気接点９１０、９１５を介して放電するように電圧源スイッチ９４３を開けることを含む。キャパシタの両端電圧の１つまたは複数の特性（例えば、減衰速度、減衰プロファイル、半分の電圧になるまでの減衰時間）は、第１の電気接点９１０と第２の電気接点９１５との間の皮膚の抵抗に関連付けられる。１つまたは複数のプロファイルは、第１の電気接点９１０と第２の電気接点９１５との間の皮膚の抵抗を決定するように、（例えば、電圧センサ９４７のADCを用いて１つまたは複数の時点におけるキャパシタの両端電圧に関連する電圧を測定することによって、ならびに、コンパレータのアウトプットおよび／またはインプットとしてキャパシタの両端電圧を受ける電圧センサ９４７のシュミットトリガのアウトプットを検出することによって）抵抗センサを用いて検出され得る。さらに、キャパシタの特定静電容量は、（例えば、第１の電気接点９１０と第２の電気接点９１５との間の皮膚の予想される抵抗に基づいて選択される値を有することによって）皮膚の抵抗の正確な測定を可能にするように選択され得る。例えば、キャパシタの静電容量は、約０．０１マイクロファラッドであってよい。
【００７０】
[0083]  電圧センサ９４７は、ウェアラブルデバイス内に配置されるマイクロコントローラの一部であってよい。電圧センサ９４７は、ウェアラブルデバイス内に配置される別個の構成要素として構成されてもよい。電圧センサ９４７は、第１の電気接点９１０と第２の電気接点９１５との間の電圧に関連する電圧の測定を行うようにマイクロコントローラまたは他のプロセッサによって動作され得る。電圧センサ９４７は、１つまたは複数のコンパレータ、シュミットトリガ、直接変換ＡＤＣ、連続近似ＡＤＣ、シグマデルタＡＤＣまたはその他のタイプのＡＤＣを含むことができる。電圧センサ９４７は、増幅器、フィルタ、サンプルホールドおよび／またはその他の構成要素を含むことができる。
【００７１】
[0084]  いくつかの例では、電圧源９４１、電圧センサ９４７、電圧源スイッチ９４３および／または抵抗センサ９４０の他の素子は、抵抗器９４５またはその他の電子構成要素を介してキャパシタ９３０ならびに第１の電気接点９１０および第２の電気接点９１５のうちの一方に接続されるマイクロプロセッサ（例えば、論理ゲート、キャパシタ、高インピーダンス電子スイッチ（例えば、CMOS、FET）、または他のマイクロ電子部品）のピンに電子的に結合されるマイクロプロセッサの素子であってよい。例えば、電圧源９４１は、マイクロプロセッサの内部電圧源であってよく、電圧源スイッチ９４３は、マイクロプロセッサの内部電圧源および／または内部接地（例えば共通電気接地９２０に電気的に接続される内部接地）をマイクロプロセッサのピンに電気的に接続するように構成され、また、ピンを内部電圧源および／または内部接地に接続しないときは（例えば、ピンに「スリーステート」のデジタルアウトプットをもたらす）高インピーダンス素子のようにみえるように構成される、マイクロプロセッサのゲートであってよい。マイクロプロセッサのＡＤＣは、さらに、ピンに電気的に接続し、電圧センサ９４７として機能するように構成され得る。
【００７２】
[0085]  電圧センサ９４７は、電気接点９１０、９１５に近接する皮膚の抵抗に関する電圧を測定することに使用され得る。電圧センサ９４７は、他の信号を検知することに使用されてもよい。いくつかの例では、電圧センサ９４７は、電気接点９１０、９１５が近接する皮膚に接触しているかどうかを検出することに使用され得る。それに加えて、または別法として、電圧センサは、外部充電器または他の電源が第１の電気接点９１０および第２の電気接点９１５に接続されたとき、ならびに／または電子部品９００に接続されている再充電可能な電池の充電状態を検出することに使用され得る。電圧センサの他の使用も予想される。
【００７３】
[0086]  抵抗センサ９４０は、上に開示の他に追加および／または代替の回路を含むことができる。抵抗センサ９４０は、線形および非線形のフィルタリング回路および／または電圧分離回路を含むことができる。例えば、抵抗センサ９４０は、抵抗センサ９４０の構成要素が、電気接点９１０、９１５における／を通る電圧および／または電流によりダメージを受けないように構成されるクランピングダイオード、阻止抵抗器、阻止キャパシタ、電子スイッチ、または他の素子を含むことができる。抵抗センサ９４０は、１つまたは複数のアナログ構成要素または機能ブロックを含むことができる。抵抗センサ９４０は、測定された電圧または他の信号に基づいていくつかのアナログ計算および／またはフィルタリングを実施するアナログ電子部品を含むことができ、このアナログ計算および／またはフィルタリングの結果は、いくつかの機能の実施に使用される、またはプロセッサもしくはマイクロコントローラによる使用のためにデジタル化され得る。
【００７４】
[0087]  電圧源９４１は、共通電気接地９２０に対して安定した特定の電圧を供給するように構成される任意の構成要素であってよい。例えば、電圧源９４１は、順方向または逆方向に付勢されるツェナーダイオード、ゲルマニウムダイオード、シリコンダイオードおよび／またはアバランシェダイオードを含むことができる。電圧源９４１は、それに加えて、または別法として、バンドギャップ電圧基準を含むこともできる。電圧源９４１は、温度安定化され得る。いくつかの例では、電圧源によって供給される電圧は、例えば、基準電圧源に接続されるマイクロコントローラによって調節可能であってよい。電圧源９４１は、マイクロコントローラによってもたらされる内部電圧であってよい。
【００７５】
[0088]  抵抗器９４５は、安定した基準抵抗値を有する任意の電子構成要素であってよい。例えば、抵抗器は、薄膜抵抗器、厚膜抵抗器、レーザトリミングされた抵抗器、巻線抵抗器、またはその他のタイプの抵抗素子であってよい。抵抗器９４５は、マイクロコントローラの一素子であってもよい。いくつかの例では、抵抗器９４５は、調節可能な抵抗を有することができる。この調節可能な抵抗は、例えばマイクロコントローラによって制御され得る。いくつかの例では、抵抗器９４５は、約１キロオームの抵抗を有することができる。
【００７６】
[0089]  電子スイッチ９３５および電圧源スイッチ９４３は、第１の時間の間、それ自体に電流が実質的に流れないように動作され、第２の時間の間、電流の流れを実質的に妨げないように動作され得る（すなわち、非常に小さい抵抗を有する）任意の構成要素であってよい。スイッチ９３５、９４３は、ＦＥＴ、ＭＯＳＦＥＴ、ＢＪＴ、ＩＧＢＴまたはその他の切り替え可能電子構成要素を含むことができる。スイッチ９３５、９４３は、動作中にスイッチ９３５、９４３の温度を下げるヒートシンクまたは他の熱管理構成要素に接触するように構成され得る。スイッチ９３５、９４３は、適用に従って、非常に低い「オン」抵抗（例えば、ミリオームのオーダー）、非常に低いゲート静電容量、または他の特定の特性を有するように構成され得る（例えば、ワイドおよび／もしくはディープチャネル、ゲート、または他の半導体機能を含むことができる）。
【００７７】
[0090]  電子部品９００は、電子スイッチ９３５が開いているとき、ＤＣ阻止キャパシタ９６５を介して、第１の電気接点９１０と第２の電気接点９１５との間の静電容量（例えば、接点９１０と接点９１５との間の皮膚の静電容量）に関する測定値を得るように構成される静電容量センサ９６０を含む。静電容量センサ９６０は、静電容量を測定するために、様々な電子構成要素を介して、第１の電気接点９１０および第２の電気接点９１５に特定の電流を流すおよび／または電圧を印加するように構成され得る。例えば、静電容量センサ９６０は、緩和発振器を含むことができる。すなわち、静電容量センサは、緩和発振器の周波数、デューティサイクルまたは他の動作特性が第１の電気接点９１０と第２の電気接点９１５との間の静電容量に関連付けられるように、特定のやり方で（例えば、特定の抵抗を有する抵抗器を介して、第１の電気接点９１０および第２の電気接点９１５に特定の充電／放電電流を流すことによって、ならびに、特定の充電／放電電圧を印加することによって）、（例えば、第１の電気接点９１０と第２の電気接点９１５との間の皮膚、空気、または他の物質の静電容量である）第１の電気接点９１０と第２の電気接点９１５との間の等価静電容量を繰り返し充放電するように構成される構成要素を含むことができる。
【００７８】
[0091]  静電容量センサ９６０は、例えば、皮膚の抵抗を測定するまたはいくつかの他の動作を可能にするような抵抗センサ９４０による電気接点９１０、９１５の使用に静電容量センサ９６０が干渉しないようにするＤＣ阻止キャパシタ９６５を介して第１の電気接点９１０に接続され得る。ＤＣ阻止キャパシタ９６５は、予想される皮膚の静電容量値よりも大きな特定の静電容量を有することができ、例えば、約０．１マイクロファラッド以上の静電容量を有することができる。いくつかの例では、ＤＣ阻止キャパシタ９６５は、省かれてよく、静電容量センサ９６０は、第１の電気接点９１０に直接接続され得る。それに加えて、または別法として、いくつかの例では、電子部品９００は、静電容量センサ９６０と共通電気接地９２０との間に接続されるＤＣ阻止キャパシタを含むことができる。
【００７９】
[0092]  特定の一実施形態では、緩和発振器は、第１の電子スイッチおよび電流制限抵抗器を介して電気接点９１０と電気接点９１５との間の等価静電容量を充電するように構成される電圧源を含むことができる。緩和発振器は、さらに、電流制限抵抗器を介して（例えば、第１の電気接点９１０および第２の電気接点９１５を一緒に接続することによって）等価静電容量を放電するように構成される第２の電子スイッチを含むことができる。コンパレータ（または他の電圧センサ、例えば、ADC、シュミットトリガ）は、電気接点９１０と電気接点９１５との間の電圧が、第１の特定電圧（例えば、静電容量センサ９６０の電圧源によってもたらされる電圧の第１のフラクション）に達したときを判定するように動作され得る。次いで、それに応答して、第１の電子スイッチが開けられ（すなわち、それによってキャパシタが電圧源によってそれ以上充電されなくなり）、それに応答して、第２の電子スイッチが閉じられる（すなわち、それによってキャパシタが放電される）。同様に、第２のコンパレータ（または、上述と同様であるおよび／もしくは第１の電圧センサと共通の素子を含むことができる他の電圧センサ）は、電気接点９１０と電気接点９１５との間の電圧が第２の特定の電圧（例えば、第１のフラクションよりも小さい、静電容量センサ９６０の電圧源によってもたらされる電圧の第２のフラクション）まで減少したときを判定するように動作され得る。次いで、それに応答して、第２の電子スイッチが開けられ（すなわち、それによってキャパシタがそれ以上放電されなくなり）、それに応答して、第１の電子スイッチが閉じられる（すなわち、それによってキャパシタが電圧源によって充電されるようになる）。したがって、第１および／または第２のコンパレータのアウトプットの周波数、パルス幅、デューティサイクル、または他の特性は、（例えば、電気接点９１０と電気接点９１５との間の皮膚の皮膚静電容量の）第１の電気接点９１０と第２の電気接点９１５との間の等価静電容量の特性を決定することに使用可能である。
【００８０】
[0093]  静電容量センサ９６０の追加または代替の素子および動作も予想される。例えば、静電容量センサ９６０は、第１の電気接点９１０と第２の電気接点９１５との間の等価静電容量が、第１の電気接点９１０と第２の電気接点９１５との間の静電容量を決定するように検出され得る電気信号（例えば、静電容量ブリッジの素子間および／または両端の電圧）を生成するように、（例えば、特定の時変電圧波形を用いて）励起され得る静電容量および／または抵抗ブリッジ回路の一つの脚を形成するように構成され得る。
【００８１】
[0094]  電子部品９００は、上述のものに対して追加の機能を実施するように構成される、および／または追加の構成要素を含むことができる。いくつかの例では、電子部品９００は、電気接点９１０、９１５を通して電気エネルギーを受け、受け取った電気エネルギーを用いて再充電可能な電池を充電するおよび／または電子部品９００に電力を供給するように構成される再充電器を含むことができる。いくつかの例では、電圧センサ９４７は、電気接点９１０、９１５に電気的に接続される充電器のタイプおよび／またはキャパシティを決定するように動作され得る。いくつかの例では、電圧センサ９４７は、電気接点９１０、９１５に接続され電気接点９１０、９１５にもたらされる電圧波形を変調することによって電子部品９００に情報を伝送するように構成される外部デバイスからの通信を受信するように動作され得る。いくつかの例では、電子部品９００は、それを含むデバイスの着用者の他の生理的特性を測定するように構成され得る。例えば、電圧センサ９４７は、電気接点９１０、９１５を用いて着用者の電気皮膚電位、心電図（ECG）、筋電図（EMG）ならびに／または他の信号および／もしくは特性を感知するように構成され得る。電子部品９００および電子部品９００を含むウェアラブルデバイスまたは他のシステムの他の構成および適用も予想される。
【００８２】
ＩＶ．ウェアラブルデバイスの例示的な動作方法
[0095]  図１０は、ウェアラブルデバイスの動作方法１０００のフロー図である。動作されるウェアラブルデバイスは、（i）ハウジングと、（ii）身体外表面にハウジングを取り付けるように構成されるマウントと、（iii）ハウジングから突出している第１の電気接点および第２の電気接点と、（iv）特定の静電容量を有するキャパシタと、（v）キャパシタに直列の電子スイッチとを含み、ここで、キャパシタと電子スイッチの直列の組み合わせは、第１および第２の電気接点に電子的に結合され、ウェアラブルデバイスは、さらに、（vi）電子スイッチが閉じられているときに、第１および第２の電気接点を介して皮膚の抵抗に関する測定値を得るように構成される抵抗センサと、（vii）電子スイッチが開いているときに、第１の電気接点と第２の電気接点との間の静電容量に関連する測定値を得るように構成される静電容量センサとを含む。
【００８３】
[0096]  方法１０００は、第１および第２の電気接点が身体外表面の皮膚に接触するように、マウントを用いてウェアラブルデバイスを身体外表面に取り付けることを含む（１０１０）。いくつかの例では、ウェアラブルデバイスは、第１および第２の電気接点が着用者の手首の皮膚に接触するように、（例えば、図１、２Ａ〜Ｂ、３Ａ〜Ｃ、４Ａ〜Ｂ、５および６に示される実施形態である）着用者の手首に取り付けられるように構成され得る。いくつかの例では、マウントは、接着剤を含み、ウェアラブルデバイスの身体外面への取り付け（１０１０）は、接着剤を起動し、適用し、および／または露出させウェアラブルデバイスを身体外表面に接着することを含む。
【００８４】
[0097]  方法１０００は、さらに、第１の時間の間、電子スイッチが閉じられるように、電子スイッチを動作させることを含む（１０２０）。これは、電子スイッチが電流の流れに対して非常に小さい実効抵抗を有するように（例えば、電子スイッチが、例えば数１０ミリオームである非常に低い実効抵抗を有するように）電子スイッチに特定の電圧、電流または他の電気信号を印加することを含むことができる。いくつかの例では、電子スイッチは、ＦＥＴ、ＢＪＴまたはその他のトランジスタ素子であってよく、電子スイッチを動作させること１０２０は、高電圧（例えば、ウェアラブルデバイスの電源によって供給される電圧）、低電圧、または実質的にゼロの電圧を、ゲート、ベースまたは電子スイッチの他の制御端子に印加することを含むことができる。
【００８５】
[0098]  方法１０００は、さらに、第１の時間の間、抵抗センサを用いて、キャパシタを充電することを含む（１０３０）。これは、特定の電圧、電流または他の電気エネルギーをキャパシタに印加することを含むことができる。これは、特定の継続時間の間、特定の電気エネルギーをキャパシタに印加することを含むことができる。これは、キャパシタの電圧が特定のレベル（例えば、ウェアラブルデバイスの電源によって供給される電圧の特定のフラクション）に達するまで、キャパシタを充電することを含むことができる。例えば、電圧は、電流制限抵抗器を介してキャパシタに印加され、キャパシタの両端電圧がコンパレータ、シュミットトリガおよび／またはＡＤＣによって測定され得る。コンパレータ、シュミットトリガおよび／またはＡＤＣが、キャパシタの両端電圧が特定の電圧に達したことを示したら、それに応答して、電圧源は、キャパシタの充電を中止するように動作され得る。
【００８６】
[0099]  方法１０００は、さらに、第２の時間の間、電子スイッチが閉じられるように、電子スイッチを動作させることを含む（１０４０）。これは、電子スイッチが電流の流れに対して非常に小さい実効抵抗を有する（例えば、電子スイッチが、非常に低い実効抵抗、例えば数１０ミリオームを有する）ように、特定の電圧、電流または他の電気信号を電子スイッチに印加することを含むことができる。いくつかの例では、電子スイッチは、ＦＥＴ、ＢＪＴまたはその他のトランジスタ素子であってよく、電子スイッチを動作させること１０４０は、高電圧（例えば、ウェアラブルデバイスの電源によって供給される電圧）、低電圧、または実質的にゼロの電圧をゲート、ベースまたは電子スイッチの他の制御端子に印加することを含むことができる。
【００８７】
[00100]  方法１０００は、さらに、第２の時間の間、抵抗センサを用いて測定値を得ることを含む（１０５０）。例えば、抵抗センサは、キャパシタの両端電圧に関連する測定値を生成するように構成される電圧センサ（例えば、ADC、コンパレータ、シュミットトリガ）を含むことができる。電圧センサは、ＡＤＣを含むことができ、ＡＤＣは、第２の時間の間の１つまたは複数の時点における電圧を測定するように動作され得る。電圧センサは、キャパシタの両端電圧が特定の電圧を上回っているか下回っているかを示すように構成されるコンパレータを含むことができ、コンパレータのアウトプットが第１および第２の時間に対して変わる時点が測定され得る。
【００８８】
[00101]  方法１０００は、さらに、第２の時間の間に得られる測定値に基づいて第１の電気接点と第２の電気接点との間の皮膚の抵抗を決定することを含む（１０６０）。いくつかの例では、ウェアラブルデバイス内に配置されるプロセッサまたは他のシステムは、第２の時間の間の１つまたは複数の時点における第１の電気接点と第２の電気接点との間の電圧を測定するように、抵抗センサに含まれる電圧センサを動作させることができる。次いで、プロセッサは、第２の時間の間にキャパシタが電気接点を介して皮膚を通して放電するときにおける、減衰速度、減衰プロファイル、半分の電圧になるまでの減衰時間、またはキャパシタの両端電圧のその他の特性をもとに皮膚の抵抗が決定されるように、命令を実行することができる。第２の時間の間に得られる測定値に基づいて身体外表面の皮膚の抵抗を決定することは（１０６０）、キャパシタの特定の静電容量のマルチプル（multiple）を決定することを含むことができる。決定されたマルチプルは、第２の時間の間に得られる測定値の時間特性（例えば、減衰速度、減衰プロファイル、半分の電圧になるまでの減衰時間）に対応することができる。第２の時間の間に得られる測定値に基づいて皮膚の抵抗を決定する他の方法１０６０も予想される。
【００８９】
[00102]  方法１０００は、さらに、第３の時間の間、電子スイッチが開けられるように、電子スイッチを動作させることを含む（１０７０）。これは、電子スイッチが電流の流れに対して非常に大きな実効抵抗を有する（例えば、電子スイッチが、非常に高い実効抵抗、例えば数１０メガオームを有する）ように、特定の電圧、電流または他の電気信号を電子スイッチに印加することを含むことができる。いくつかの例では、電子スイッチは、ＦＥＴ、ＢＪＴまたはその他のトランジスタ素子であってよく、電子スイッチを動作させること１０７０は、高電圧（例えば、ウェアラブルデバイスの電源によって供給される電圧）、低電圧、実質的にゼロの電圧をゲート、ベースまたは電子スイッチの他の制御端子に印加することを含むことができる。
【００９０】
[00103]  方法１０００は、さらに、第３の時間の間、静電容量センサを用いて測定値を得ることを含む（１０８０）。例えば、静電容量センサは、電気接点間の静電容量（例えば、電気接点間の皮膚の静電容量）に関連する１つまたは複数の特性（例えば、周波数、デューティサイクル、パルス幅）を有するアウトプットを生成するように構成される緩和発振器を含むことができる。静電容量センサは、コンパレータ、電流源、電圧源または本明細書に記載されるような他の素子を含むことができ、電気接点間の静電容量に関連する１つまたは複数の特性を有する電気アウトプットを生成するように構成され得る。
【００９１】
[00104]  方法１０００は、さらに、第３の時間の間に得られる測定値に基づいて第１の電気接点と第２の電気接点との間の静電容量（例えば、電気接点間の皮膚の静電容量）を決定することを含む（１０９０）。いくつかの例では、プロセッサまたはウェアラブルデバイス内に配置される他のシステムは、第３の時間の間の１つまたは複数の時点における静電容量センサの周波数、パルス幅、デューティサイクルまたは電気アウトプットのその他の特性を測定するように動作することができる。そして、プロセッサは、電気接点間の静電容量が、第３の時間の間の静電容量センサの電気アウトプットの特性に基づいて決定されるように命令を実行することができる。第３の時間の間に得られる測定値に基づいて電気接点間の静電容量を決定すること（１０９０）は、静電容量値に対する静電容量センサの電気アウトプット（例えば、周波数、パルス幅、デューティサイクル、またはアウトプット波形の他の時間特性）の値に関するルックアップテーブルまたは他のキャリブレーションデータに基づいて静電容量を決定することを含むことができる。第３の時間の間に得られる測定値に基づいて電気接点間の静電容量を決定する他の方法１０９０も予想される。
【００９２】
[00105]  ウェアラブルデバイスの動作方法１０００は、決定された抵抗および／または静電容量に関するさらなる工程を含むことができる。いくつかの例では、方法１０００は、ウェアラブルデバイスに配置されるディスプレイを用いて、決定された抵抗および／または静電容量を示すことを含むことができる。いくつかの例では、方法１０００は、ウェアラブルデバイス内に配置される無線送信機を用いて、決定された抵抗および／または静電容量を無線で示すことを含むことができる。例えば、ウェアラブルデバイスは、リモートシステム（例えば、ヘルスケア提供者がアクセス可能なサーバまたはクラウドサーバ）に、決定された抵抗および／または静電容量、またはそのようなもののシーケンスを示すことができる。いくつかの例では、方法１０００は、決定された抵抗および／または静電容量に基づいてウェアラブルデバイスを動作させることを含むことができる。例えば、ウェアラブルデバイスは、決定された抵抗および／または静電容量、またはそのようなもののシーケンス（例えば、決定された抵抗または静電容量が閾値を超える場合）に応答してアラートを生成する、伝送をリモートシステムに送信する、またはその他のアクションをとるように動作され得る。他の例では、方法１００は、決定された抵抗および／または静電容量の値、値の変化、および／またはその他の特性に基づいて、ウェアラブルデバイスが着用者の身体外表面に取り付けられているかどうかを判定することを含むことができる。例えば、特定の値を下回る、および／または特定の速度で増加もしくは減少する、および／または決定静電容量の特定の最小変化量を超える、電気接点間の検出された静電容量に基づいて、ウェアラブルデバイスが着用者の手首に取り付けられていないことを判定することを含むことができる。方法は、さらに、そうした決定に対してウェアラブルデバイスを動作させることを含むことができる。例えば、１つまたは複数のセンサ（例えば、抵抗センサ）は、本明細書に記載されるような決定された静電容量の１つまたは複数の特性に基づいた、ウェアラブルデバイスが着用者の皮膚に取り付けられていないことの判定に応答して、動作停止および／または低電力状態で動作され得る。決定された抵抗および／または静電容量の他の適用も予想される。
【００９３】
[00106]  図１０に示される例示的な方法１０００は、例証的な非限定的な例としてみなされる。当業者には明らかなように、方法の追加または代替の要素およびウェアラブルデバイスの追加または代替の構成要素も予想される。
【００９４】
結論
[00107]  例示的な実施形態が個人または個人のデバイスに関する情報を含む場合、それらの実施形態は、プライバシーコントロールを含むと理解されたい。そのようなプライバシーコントロールは、少なくとも、デバイス識別子の匿名性、透明性、および、ユーザの製品使用に関する情報をユーザが修正または削除することができる機能を含むユーザコントロールを含む。
【００９５】
[00108]  
さらに、本明細書に記載される実施形態が、ユーザについての個人情報を収集するまたは個人情報を使用することができる場合、ユーザは、プログラムまたは機能がユーザ情報（例えば、ユーザの医療歴、ソーシャルネットワーク、社会的な行為もしくは活動、職業、ユーザの好み、またはユーザの現在位置）を収集するかどうかをコントロールする機会、あるいは、ユーザにより適合することがあるコンテンツサーバからのコンテンツを受けるかどうかおよび／または受ける方法をコントロールする機会を持つことができる。さらに、あるデータは、記憶または使用される前に個人を特定できる情報が除去されるように１つまたは複数の方法で処理されてもよい。例えば、ユーザの身元は、個人を特定できる情報をユーザが決定しなくて済むように、または、地理情報が得られる場合、ユーザの特定の位置が決定不可能になるようにユーザの地理的な位置が（例えば、都市、郵便番号または州レベルなどにまで）一般化されるように処理されてよい。したがって、ユーザは、ユーザについての情報収集方法およびコンテンツサーバによる使用方法をコントロールすることができる。
【００９６】
[00109]  図面に示される特定の構成は、限定としてみなされるべきではない。他の実施形態は、与えられた図面に示される各要素よりも多いまたは少ない要素を含むことができる。さらに、例示の要素のいくつかを組み合わせるまたは省くこともできる。さらに、例示的な実施形態は、図面に示されない要素を含むこともできる。
【００９７】
[00110]  さらに、様々な態様および実施形態が本明細書に開示されているが、他の態様および実施形態も当業者には明らかであろう。本明細書に記載の様々な態様および実施形態は、例示を目的としており、限定を意図するものではなく、真の範囲および趣旨は、以下の特許請求の範囲に示される。本明細書に記載の主題の趣旨または範囲から逸脱することなく、他の実施形態も利用可能であり、他の変更を加えることもできる。本明細書に全体的に記載され図面に示される本開示の態様は、広範な様々な構造において、配置され、代用され、組み合わされ、分けられ、および設計され、それらのすべてが本明細書において企図されることが容易に理解されよう。
【図１】
0006329692.tif 000002
【図２Ａ】
0006329692.tif 000003
【図２Ｂ】
0006329692.tif 000004
【図３Ａ】
0006329692.tif 000005
【図３Ｂ】
0006329692.tif 000006
【図３Ｃ】
0006329692.tif 000007
【図４Ａ】
0006329692.tif 000008
【図４Ｂ】
0006329692.tif 000009
【図５】
0006329692.tif 000010
【図６】
0006329692.tif 000011
【図７】
0006329692.tif 000012
【図８】
0006329692.tif 000013
【図９】
0006329692.tif 000014
【図１０】
0006329692.tif 000015